(57)【要約】【課題】読取装置を手で握らずに身体に装着して使用することが可能な構成であって、身体に装着する際の自由度が大きく、且つ身体からの読取装置の取り外しを容易に行うことができる構成を提供する。【解決手段】携帯型情報コード読取装置１０は、情報コードを撮像する受光センサ２３と、受光センサ２３によって撮像された情報コードの画像を処理する処理部と、受光センサ２３及び処理部を保持するケース１２と、使用者に取り付けられる取付部材６０とを備える。取付部材６０には、撓み変形可能な可撓性の身体装着部６２と、ケース１２が着脱される取付部６６とが設けられており、取付部６６に対してケース１２が連結及び離脱可能とされている。【選択図】図１
2015007974.tif 000002
【特許請求の範囲】
【請求項１】
情報コードを撮像する撮像部と、
前記撮像部によって撮像された前記情報コードの画像を処理する処理部と、
前記撮像部及び前記処理部を保持するケースと、
撓み変形可能な可撓性の装着部と、前記ケースが着脱される取付部と、を備え、前記ケースとは別体として設けられる取付部材と、
を有することを特徴とする携帯型情報コード読取装置。
【請求項２】
前記装着部は、被装着時の自然状態において所定形状で維持される構成であり、且つ弾性変形可能に構成されていることを特徴とする請求項１に記載の携帯型情報コード読取装置。
【請求項３】
前記装着部は、使用者の少なくともいずれか一方の耳に掛けられる耳掛け部として構成されていることを特徴とする請求項１又は請求項２に記載の携帯型情報コード読取装置。
【請求項４】
前記装着部は、使用者の腕又は指に掛けられるバンド部材として構成されていることを特徴とする請求項１又は請求項２に記載の携帯型情報コード読取装置。
【請求項５】
前記装着部は、使用者の頭に取り付けられるバンド部材として構成されていることを特徴とする請求項１又は請求項２に記載の携帯型情報コード読取装置。
【請求項６】
前記撮像部を当該撮像部の受光面の平面方向と交差する所定方向の回転軸を中心として回転可能に構成され、前記撮像部を少なくとも２つの回転位置に切り替え可能な回転機構を有することを特徴とする請求項１から請求項５のいずれか一項に記載の携帯型情報コード読取装置。
【請求項７】
情報コードを撮像する撮像部と、
前記撮像部によって撮像された前記情報コードの画像を処理する処理部と、
前記撮像部及び前記処理部を保持するケースと、
装着部と、前記ケースが着脱される取付部とを備え、前記ケースとは別体として設けられる取付部材と、
前記撮像部を当該撮像部の受光面の平面方向と交差する所定方向の回転軸を中心として回転可能に構成され、前記撮像部を少なくとも２つの回転位置に切り替え可能な回転機構と、
を有することを特徴とする携帯型情報コード読取装置。
【請求項８】
複数種類の前記取付部材が使用者に取り付け可能とされており、
いずれの前記取付部材が前記使用者に取り付けられた場合でも、その取り付けられた前記取付部材に対して前記ケースを連結可能とされていることを特徴とする請求項１から請求項７のいずれか一項に記載の携帯型情報コード読取装置。
【請求項９】
情報コードを撮像する撮像部と、
前記撮像部によって撮像された前記情報コードの画像を処理する処理部と、
前記撮像部及び前記処理部を保持するケースと、
装着部と、前記ケースが着脱される取付部とを備え、前記ケースとは別体として設けられる取付部材と、
を有し、
複数種類の前記取付部材が使用者に取り付け可能とされており、
いずれの前記取付部材が前記使用者に取り付けられた場合でも、その取り付けられた前記取付部材に対して前記ケースを連結可能とされていることを特徴とする携帯型情報コード読取装置。
【請求項１０】
複数種類の前記取付部材の内、いずれかの前記取付部材に前記ケースが連結された場合に、前記ケースが連結された前記取付部材の種類を判定する判定部と、
前記判定部によって判定された種類に応じた対応処理を行う対応処理部と、
を有することを特徴とする請求項８又は請求項９に記載の携帯型情報コード読取装置。
【請求項１１】
前記ケースの取付位置を検出する検出部と、
前記撮像部によって撮像された画像から前記検出部の検出結果に対応する範囲を選択する選択部と、
を有することを特徴とする請求項１から請求項１０のいずれか一項に記載の携帯型情報コード読取装置。
【請求項１２】
情報コードを撮像する撮像部と、
前記撮像部によって撮像された前記情報コードの画像を処理する処理部と、
前記撮像部及び前記処理部を保持するケースと、
装着部と、前記ケースが着脱される取付部と、を備え、前記ケースとは別体として設けられる取付部材と、
前記ケースの取付位置を検出する検出部と、
前記撮像部によって撮像された画像から前記検出部の検出結果に対応する範囲を選択する選択部と、
を有することを特徴とする携帯型情報コード読取装置。
【請求項１３】
前記ケースの取付位置を検出する検出部と、
前記検出部によって検出された前記ケースの取付位置の情報を外部装置に送信する送信制御部と、
前記送信制御部によって前記ケースの取付位置の情報が前記外部装置に送信された場合に、前記外部装置から、前記ケースの取付位置の情報に対応する応答情報を受信する受信部と、
を有することを特徴とする請求項１から請求項１２のいずれか一項に記載の携帯型情報コード読取装置。
【請求項１４】
情報コードを撮像する撮像部と、
前記撮像部によって撮像された前記情報コードの画像を処理する処理部と、
前記撮像部及び前記処理部を保持するケースと、
身体に装着される装着部と、前記ケースが着脱される取付部と、を備え、前記ケースとは別体として設けられる取付部材と、
前記ケースの取付位置を検出する検出部と、
前記検出部によって検出された前記ケースの取付位置の情報を外部装置に送信する送信制御部と、
前記送信制御部によって前記ケースの取付位置の情報が前記外部装置に送信された場合に、前記外部装置から、前記ケースの取付位置の情報に対応する応答情報を受信する受信部と、
を有することを特徴とする携帯型情報コード読取装置。
【請求項１５】
前記取付部材の所定の取付部に対して前記ケースを着脱可能に連結し、且つその連結の際に前記取付部に対する前記ケースの姿勢が所定姿勢となるようにガイドするガイド部が設けられていることを特徴とする請求項１から請求項１４のいずれか一項に記載の携帯型情報コード読取装置。
【請求項１６】
前記ガイド部は、
前記ケースに設けられた少なくとも２つのケース側連結部と、
前記取付部材の前記取付部に設けられた少なくとも２つの取付部材側連結部と、
を備え、
２つの前記ケース側連結部と２つの前記取付部材側連結部とがそれぞれ連結することにより前記取付部材と前記ケースとを連結することを特徴とする請求項１５に記載の携帯型情報コード読取装置。
【請求項１７】
前記ガイド部は、前記ケース及び前記取付部の一方に設けられた一方側磁石と、前記ケース及び前記取付部の他方に設けられ、前記一方側磁石に吸引される磁性体とを有することを特徴とする請求項１５又は請求項１６に記載の携帯型情報コード読取装置。
【請求項１８】
２つの前記ケース側連結部は、磁石として構成される第１ケース側連結部及び第２ケース側連結部からなり、
２つの前記取付部材側連結部は、磁石として構成される第１取付部材側連結部及び第２取付部材側連結部からなり、
前記第１ケース側連結部と前記第１取付部材側連結部との極性が互いに異なり、これら前記第１ケース側連結部と前記第１取付部材側連結部とが互いに吸引して連結される構成となっており、
前記第２ケース側連結部と前記第２取付部材側連結部との極性が互いに異なり、これら前記第２ケース側連結部と前記第２取付部材側連結部とが互いに吸引して連結される構成となっていることを特徴とする請求項１６に記載の携帯型情報コード読取装置。
【請求項１９】
前記第１ケース側連結部と前記第２取付部材側連結部とが同極性であり、
前記第２ケース側連結部と前記第１取付部材側連結部とが同極性であることを特徴とする請求項１８に記載の携帯型情報コード読取装置。
【請求項２０】
前記ガイド部は、前記ケース及び前記取付部の一方に設けられた一方側嵌合部と、前記ケース及び前記取付部の他方に設けられ、前記一方側嵌合部と嵌合する被嵌合部とを有することを特徴とする請求項１５又は請求項１６に記載の携帯型情報コード読取装置。
【請求項２１】
前記ガイド部は、前記ケース及び前記取付部の一方に設けられた一方側シート材と、前記ケース及び前記取付部の他方に設けられた他方側シート材とを有し、前記一方側シート材と前記他方側シート材とが互いに接触しつつ結合する面ファスナーとして構成されていることを特徴とする請求項１５又は請求項１６に記載の携帯型情報コード読取装置。
【請求項２２】
前記取付部材は、前記取付部と連結されるベース部を備え、前記ベース部から前記装着部が延びており、
前記ケースは、前記ガイド部によって前記取付部に連結される被取付部を備えており、
前記被取付部を基準とする前記撮像部の変位、又は前記ベース部を基準とする前記取付部の変位を変更可能な変位調整部が設けられていることを特徴とする請求項１から請求項２１のいずれか一項に記載の携帯型情報コード読取装置。
【請求項２３】
前記装着部は、前記取付部が固定される固定部を有し、
前記取付部は、前記固定部に固定される伸縮性部材を備え、前記固定部又は当該固定部に固定された他部材の少なくともいずれかからなる挟持部と前記伸縮性部材との間に前記ケースを挟み込んで当該ケースを保持することを特徴とする請求項１から請求項１５のいずれか一項に記載の携帯型情報コード読取装置。
【請求項２４】
前記挟持部と前記伸縮性部材とが前記ケースの所定部位を所定の向きに保持することで、前記固定部に対する前記ケースの姿勢を所定姿勢に定めることを特徴とする請求項２３に記載の携帯型情報コード読取装置。
【請求項２５】
前記ケースは長手状に構成され、
前記挟持部と前記伸縮性部材との間に構成される前記収容空間が前記固定部における所定の配置方向に沿って１又は複数構成され、
前記挟持部及び前記伸縮性部材は、前記ケースの長手方向が前記配置方向に沿うように前記ケースの前記所定部位を前記収容空間に配置しつつ前記所定の向きに保持することを特徴とする請求項２４に記載の携帯型情報コード読取装置。
【請求項２６】
少なくとも２つの前記伸縮性部材が前記所定の配置方向に並び、それらが間をあけて前記固定部に固定されており、
前記挟持部と前記伸縮性部材との間に構成される前記収容空間が、前記所定の配置方向に沿って少なくとも２つ構成されており、
更に、前記ケースに対して着脱可能に取り付けられる着脱部材が設けられ、
前記ケースの前記所定部位を前記収容空間に配置しつつ前記所定の向きに保持した保持状態において、２つの前記伸縮性部材の間に前記着脱部材を挟み込ませつつ前記ケースに固定可能とされていることを特徴とする請求項２５に記載の携帯型情報コード読取装置。
【請求項２７】
前記固定部は、使用者の手の甲に沿って配置されるものであり、
前記装着部は、前記固定部を使用者の手首の位置に取り付ける第１位置装着部と、前記固定部を使用者の手において手首以外の位置に取り付ける第２位置装着部と、を有することを特徴とする請求項２３から請求項２６のいずれか一項に記載の携帯型情報コード読取装置。
【請求項２８】
前記第２位置装着部は、前記固定部を使用者の１又は複数の指に取り付けることを特徴とする請求項２７に記載の携帯型情報コード読取装置。
【請求項２９】
前記固定部において、前記伸縮性部材よりも前記撮像部の撮像側には変形可能な変形許容部が設けられており、
前記変形許容部は、前記ケースが前記挟持部と前記伸縮性部材との間に保持された状態で、少なくとも、前記撮像部の撮像範囲に位置する撮像位置と、前記撮像範囲から退避する退避位置とに変位可能とされていることを特徴とする請求項２３から請求項２８のいずれか一項に記載の携帯型情報コード読取装置。
【請求項３０】
前記取付部材と前記ケースとを接続する接続ケーブルが設けられており、前記取付部材と前記ケースとの間で、電力供給又は情報通信が可能とされていることを特徴とする請求項１から請求項２９のいずれか一項に記載の携帯型情報コード読取装置。
【請求項３１】
前記ケース内に電池が収容されていることを特徴とする請求項１から請求項３０のいずれか一項に記載の携帯型情報コード読取装置。
【発明の詳細な説明】
【技術分野】
【０００１】
本発明は、携帯型情報コード読取装置に関するものである。
【背景技術】
【０００２】
従来から提供されている携帯型の情報コード読取装置は、使用者が装置を手で持って情報コードに向ける操作を行い、その情報コードを読み取るような方式のものが一般的である。しかしながら、このように手で持つことを必須とする構成では、使用者の片手が他の作業に使えなくなってしまうという問題があり、作業性を高めにくかった。
【先行技術文献】
【特許文献】
【０００３】
【特許文献１】特許第３０２０９４３号公報
【発明の概要】
【発明が解決しようとする課題】
【０００４】
ところで、特許文献１には、使用者が装置を手で持たなくても情報コードを読み取ることができる構成が開示されている。この特許文献１で開示される携帯型トランザクション端末は、使用者の頭に嵌めるバンド１２を備え、このバンド１２から顔の前方側にアーム２２が伸びており、眼鏡状のスクリーン３４が設けられている。そして、そのスクリーン３４の上部にバーコード読取り装置２４が設けられている。
【０００５】
しかしながら、特許文献１の構成は、読取装置を一旦使用者に取り付けてしまうと容易に取り外しができない構成であるため、一時的に装置を取り外して使用することが困難であった。例えば、既に装着された読取装置を取り外して使用する場合、使用者に固定される固定部分（バンドやヘッドセットなど）ごと一体的に読取装置を取り外さなければならないため、取り外し作業に手間や時間が非常にかかるものであった。
【０００６】
本発明は、上述した課題を解決するためになされたものであり、読取装置を手で握らずに身体又は身体の装着品に装着して使用することが可能な構成であって、身体又は装着品に装着する際の自由度が大きく、且つ身体又は装着品からの読取装置の取り外しを容易に行うことができる構成を提供することを目的とする。
【課題を解決するための手段】
【０００７】
第１の発明は、情報コードを撮像する撮像部と、
前記撮像部によって撮像された前記情報コードの画像を処理する処理部と、
前記撮像部及び前記処理部を保持するケースと、
撓み変形可能な可撓性の装着部と、前記ケースが着脱される取付部と、を備え、前記ケースとは別体として設けられる取付部材と、
を有することを特徴とする。
【０００８】
第２の発明は、  情報コードを撮像する撮像部と、
前記撮像部によって撮像された前記情報コードの画像を処理する処理部と、
前記撮像部及び前記処理部を保持するケースと、
装着部と、前記ケースが着脱される取付部とを備え、前記ケースとは別体として設けられる取付部材と、
前記撮像部を当該撮像部の受光面の平面方向と交差する所定方向の回転軸を中心として回転可能に構成され、前記撮像部を少なくとも２つの回転位置に切り替え可能な回転機構と、
を有することを特徴とする。
【０００９】
第３の発明は、情報コードを撮像する撮像部と、
前記撮像部によって撮像された前記情報コードの画像を処理する処理部と、
前記撮像部及び前記処理部を保持するケースと、
装着部と、前記ケースが着脱される取付部とを備え、前記ケースとは別体として設けられる取付部材と、
を有し、
複数種類の前記取付部材が使用者に取り付け可能とされており、
いずれの前記取付部材が前記使用者に取り付けられた場合でも、その取り付けられた前記取付部材に対して前記ケースを連結可能とされていることを特徴とする。
【００１０】
第４の発明は、情報コードを撮像する撮像部と、
前記撮像部によって撮像された前記情報コードの画像を処理する処理部と、
前記撮像部及び前記処理部を保持するケースと、
装着部と、前記ケースが着脱される取付部と、を備え、前記ケースとは別体として設けられる取付部材と、
前記ケースの取付位置を検出する検出部と、
前記撮像部によって撮像された画像から前記検出部の検出結果に対応する範囲を選択する選択部と、
を有することを特徴とする。
【００１１】
第５の発明は、情報コードを撮像する撮像部と、
前記撮像部によって撮像された前記情報コードの画像を処理する処理部と、
前記撮像部及び前記処理部を保持するケースと、
身体に装着される装着部と、前記ケースが着脱される取付部と、を備え、前記ケースとは別体として設けられる取付部材と、
前記ケースの取付位置を検出する検出部と、
前記検出部によって検出された前記ケースの取付位置の情報を外部装置に送信する送信制御部と、
前記送信制御部によって前記ケースの取付位置の情報が前記外部装置に送信された場合に、前記外部装置から、前記ケースの取付位置の情報に対応する応答情報を受信する受信部と、
を有することを特徴とする。
【発明の効果】
【００１２】
請求項１の構成によれば、情報コード読取装置を手で握らずに身体に直接又は間接的に装着して使用することが可能な構成を実現できる。更にこの構成では、身体に直接又は間接的に装着される部分（装着部）を身体に取り付けた状態で、ケース側を分離するように取り外すことができるため、取り外し作業の容易化を図ることができる。更に、装着部は、撓み変形可能な可撓性の構造であるため、身体に装着する際の自由度も大きくなる。
【００１３】
請求項２の発明では、装着部は、被装着時の自然状態において所定形状で維持される構成であり、且つ弾性変形可能に構成されている。このように弾性復帰力によって規定形状で維持されようとする装着部を取り付ける構造であるため、身体に取り付ける際に複雑な結び作業などを省略し易くなり、装着の一層の容易化を図ることができる。
【００１４】
請求項３の発明では、装着部は、使用者の少なくともいずれか一方の耳に掛けられる耳掛け部として構成されている。この構成では、読取装置が耳に取り付けられるため、顔の動きと読取装置全体が連動することになり、使用者の顔の動きに合わせて読み取る方向を定めやすくなる。更に、取り付ける位置が耳であるため、他の装着具（ヘルメットや眼鏡等）が使用される場合でも容易に装着しやすくなる。
【００１５】
請求項４の発明では、装着部は、使用者の腕又は指に掛けられるバンド部材として構成されている。この構成では、読取装置が指又は腕に取り付けられるため、手で握らずに操作可能な構成を実現しつつ、手の動きと連動させやすくなる。
【００１６】
請求項５の発明では、装着部は、使用者の頭に取り付けられるバンド部材として構成されている。この構成では、読取装置が頭に取り付けられるため、顔の動きと読取装置全体が連動することになり、使用者の顔の動きに合わせて読み取る方向を定めやすくなる。
【００１７】
請求項６、７の発明では、撮像部を当該撮像部の受光面の平面方向と交差する所定方向の回転軸を中心として回転可能に構成され、撮像部を少なくとも２つの回転位置に切り替え可能な回転機構を有する。この構成では、身体への装着状態に合わせて撮像部の向きをより適切な向きに変更しやすくなる。
【００１８】
請求項８、９の発明では、複数種類の取付部材が使用者に取り付け可能とされており、いずれの取付部材が使用者に取り付けられた場合でも、その取り付けられた取付部材に対してケースを連結可能とされている。この構成では、予め用意された複数種類の取付部材の中からいずれかを選択して利用することができ、使用状況に合わせて適切な位置に装着することが可能となる。そして、いずれの種類の取付部材を用いる場合でも、ケース側は共通して用いることができるため、取付部材の種類毎にケース側の構造を用意せずに済み、部品点数の低減及びコスト低減を図りやすくなる。
【００１９】
請求項１０の発明では、複数種類の取付部材の内、いずれかの取付部材にケースが連結された場合に、ケースが連結された取付部材の種類を判定する判定部と、判定部によって判定された種類の応じた対応処理を行う対応処理部とが設けられている。この構成では、複数種類の取付部材を利用する上でケースを共通して利用可能な構成を実現しつつ、ケース側では、装着された取付部材の種類を判定し、その種類に合わせた処理を行うことが可能となる。
【００２０】
請求項１１、１２の発明は、身体におけるケースの取付位置を検出する検出部と、撮像部によって撮像された画像から検出部の検出結果に対応する範囲を選択する選択部とを有する。この構成によれば、撮像部によって撮像された画像から、ケースが取り付けられた位置に合わせた範囲を選択して利用可能となる。従って、常に全画素のデータを全て利用する方法と比較して処理するデータ量を低減しつつ、取付位置に合わせたより適正な範囲の画像を用いやすくなる。
【００２１】
請求項１３、１４の発明は、身体におけるケースの取付位置を検出する検出部と、検出部によって検出されたケースの取付位置の情報を外部装置に送信する送信制御部と、送信制御部によってケースの取付位置の情報が外部装置に送信された場合に、外部装置から、ケースの取付位置の情報に対応する応答情報を受信する受信部と、を有する。この構成によれば、ケースが取り付けられた位置に合わせたデータを外部装置から取得して利用可能となる。
【００２２】
請求項１５の発明は、取付部材の所定の取付部に対してケースを着脱可能に連結し、且つその連結の際に取付部に対するケースの姿勢が所定姿勢となるようにガイドするガイド部が設けられている。この構成では、読取装置を手で握らずに身体に装着して使用することが可能な構成において、身体からのケース側の取り外しを容易に行うことができ、且つ取り外し後の再装着も容易に行い得る構成を実現することができる。特に、再装着の際には、取付済みの取付部に対してケースの姿勢が所定姿勢となるようにガイド部によってガイドされるため、ケース側がより正確な位置及び向きになるように迅速に装着しやすくなる。
【００２３】
請求項１６の発明は、ガイド部が、ケースに設けられた少なくとも２つのケース側連結部と、取付部材の取付部に設けられた少なくとも２つの取付部材側連結部と、を備えており、２つのケース側連結部と２つの取付部材側連結部とがそれぞれ連結することにより取付部材とケースとを連結する。この発明は、取付部材に定められた少なくとも２つの連結部（取付部材側連結部）に対し、ケースに設けられた２つの連結部（ケース側連結部）を合わせるように連結する構成であるため、ケースの向きが所望の方向を向くように、より正確に設定されやすくなる。
【００２４】
請求項１７の発明は、ガイド部が、ケース及び取付部の一方に設けられた一方側磁石と、ケース及び取付部の他方に設けられ、一方側磁石に吸引される磁性体とを有する。この構成によれば、一方側磁石と他方側の磁性体との間で生じる吸引力を利用してケースを取付部材の所定位置に導くことができ、位置合わせや連結の負担をより低減することができる。
【００２５】
請求項１８の発明では、２つのケース側連結部は、磁石として構成される第１ケース側連結部及び第２ケース側連結部からなり、２つの取付部材側連結部は、磁石として構成される第１取付部材側連結部及び第２取付部材側連結部からなり、第１ケース側連結部と第１取付部材側連結部との極性が互いに異なり、これら第１ケース側連結部と第１取付部材側連結部とが互いに吸引して連結される構成となっており、第２ケース側連結部と第２取付部材側連結部との極性が互いに異なり、これら第２ケース側連結部と第２取付部材側連結部とが互いに吸引して連結される構成となっている。
この構成では、２つの連結位置において対応する連結部同士（即ち、第１ケース側連結部と第１取付部材側連結部、第２ケース側連結部と第２取付部材側連結部）がそれぞれ対向した位置関係になった場合に、それぞれの連結位置で生じる吸引力を利用してケースをガイド部の所定位置により正確に導くことができる。
【００２６】
請求項１９の発明では、第１ケース側連結部と第２取付部材側連結部とが同極性であり、第２ケース側連結部と第１取付部材側連結部とが同極性となっている。
この構成では、対応しない連結部同士（即ち、第１ケース側連結部と第２取付部材側連結部、第２ケース側連結部と第１取付部材側連結部）は、互いに同極性であるため、それぞれが対向するような向き（逆向き）で連結が試みられても、各位置で反発し合うことになり、連結されないことになる。従って、正規の向きの場合には、取付部材に対するケースの位置合わせをより正確かつ迅速に行い易くなり、逆向きでの異常な連結については、より確実に防ぐことができる。
【００２７】
請求項２０の発明では、ガイド部は、ケース及び取付部の一方に設けられた一方側嵌合部と、ケース及び取付部の他方に設けられ、一方側嵌合部と嵌合する被嵌合部とを有する。この構成によれば一方側嵌合部と被嵌合部とが嵌合しようとする作用を利用して、ケースを取付部材の所定位置に導くことができる。また、特別な材料や複雑な構造を多用せずともケースを取付部材に安定的に取り付けることができる。
【００２８】
請求項２１の発明では、ガイド部は、ケース及び取付部の一方に設けられた一方側シート材と、ケース及び取付部の他方に設けられた他方側シート材とを有し、一方側シート材と他方側シート材とが互いに接触しつつ結合する面ファスナーとして構成されている。この構成によれば一方側シート材と他方側シート材とが結合しようとする作用を利用して、ケースを取付部材の所定位置に導くことができる。特に、再装着の際には、一方側シート材と他方側シート材を接触させるように操作すれば良く、再装着の際に大きな力や複雑な操作が不要であるため、作業性の面でも優れる。
【００２９】
請求項２２の発明では、取付部材は、取付部と連結されるベース部を備え、ベース部から装着部が延びており、ケースは、ガイド部によって取付部に連結される被取付部を備えており、被取付部を基準とする撮像部の変位、又はベース部を基準とする取付部の変位を変更可能な変位調整部が設けられている。この構成では、変位調整部により、被取付部を基準とする撮像部の変位、又はベース部を基準とする取付部の変位を調整することができるため、ケースが取付部に取り付けられたときの撮像部の向きがより望ましい方向となるように微調整しやすくなる。
【００３０】
請求項２３の発明では、装着部は、取付部が固定される固定部を有し、取付部は、固定部に固定される伸縮性部材を備え、固定部又は当該固定部に固定された他部材の少なくともいずれかからなる挟持部と伸縮性部材との間にケースを挟み込んで当該ケースを保持する構成となっている。
この構成によれば、ケースの着脱が行いやすい構成を、より簡易に実現できる。特に、ケースを取り付ける際には、挟持部と伸縮性部材との間にケースを挟み込ませればよいため、ケースの取り付け作業を簡単に行うことができ、ケースを取り外す際には、挟持部と伸縮性部材との間からケースを抜けばよいため、ケースの取り外しも簡単に行うことができる。
【００３１】
請求項２４の発明では、挟持部と伸縮性部材とがケースの所定部位を所定の向きに保持することで、固定部に対するケースの姿勢を所定姿勢に定める構成となっている。
この構成によれば、取付時にケースの姿勢を安定的に定め得る構成を、着脱が容易な構造によって実現できる。
【００３２】
請求項２５の発明では、ケースが長手状に構成され、挟持部と伸縮性部材との間に構成される収容空間が固定部における所定の配置方向に沿って１又は複数構成され、挟持部及び伸縮性部材は、ケースの長手方向が配置方向に沿うようにケースの所定部位を収容空間に配置しつつ所定の向きに保持する構成となっている。
この構成によれば、取付時にケースの姿勢を安定的に定め得る構成を、より簡易な構造をとりつつ、より確実に実現できる。
【００３３】
請求項２６の発明では、少なくとも２つの伸縮性部材が所定の配置方向に並び、それらが間をあけて固定部に固定されており、挟持部と伸縮性部材との間に構成される収容空間が、所定の配置方向に沿って少なくとも２つ構成されている。更に、ケースに対して着脱可能に取り付けられる着脱部材が設けられ、ケースの所定部位を収容空間に配置しつつ所定の向きに保持した保持状態において、２つの伸縮性部材の間に着脱部材を挟み込ませつつケースに固定可能とされている。
この構成によれば、ケースの長手方向と２つの伸縮性部材の並び方向とを揃えるように安定的に位置を定めることができ、ケースの向き、ひいては撮像の向きが所望の向きに正確に定まりやすくなる。しかも、２つの伸縮性部材の間に着脱部材を挟み込ませるように位置決めできるため、固定部に対するケースの位置ずれ（所定の配置方向の位置ずれ）を効果的に抑えることができる。
【００３４】
請求項２７の発明では、固定部が、使用者の手の甲に沿って配置されるものであり、装着部は、固定部を使用者の手首の位置に取り付ける第１位置装着部と、固定部を使用者の手において手首以外の位置に取り付ける第２位置装着部と、を有する。
この構成によれば、ケースを使用者の手付近に装着することができ、且つ使用者の手の向きに合わせて撮像の向きを変更可能な構造を実現できる。しかも、ケースを手の甲の側に保持することができるため、使用者が掌側をより自由に使いやすくなる。
【００３５】
請求項２８の発明では、第２位置装着部は、固定部を使用者の１又は複数の指に取り付ける構成となっている。このように、固定部を少なくとも２位置（手首位置及び指位置）取り付けるようにすれば、装着の一層の安定化を図ることができ、手の向き（特に取り付け位置となる手首と指を結ぶ向き）により正確に対応した撮像が可能となる。
【００３６】
請求項２９の発明では、固定部において、伸縮性部材よりも撮像部の撮像側には変形可能な変形許容部が設けられており、変形許容部は、ケースが挟持部と伸縮性部材との間に保持された状態で、少なくとも、撮像部の撮像範囲に位置する撮像位置と、撮像範囲から退避する退避位置とに変位可能とされている。
この構成では、変形許容部を撮像位置と退避位置とに変位させることが可能となり、意図しない画像が撮像されることを抑えやすくなる。例えば、外部空間を撮像することを希望する場合には、変形許容部を退避位置に退避させるような操作を行うことで、外部空間を良好に撮像しやすくなる。逆に、外部空間の撮像を希望しない場合には、変形許容部を撮像位置に移動させるような操作を行うことで、撮像画像内での変形許容部の割合を大きくすることができ、他画像が撮像される割合を小さくすることができる。
【００３７】
請求項３０の発明では、取付部材とケースとを接続する接続ケーブルが設けられており、取付部材とケースとの間で、電力供給又は情報通信が可能とされている。この構成では、電気的な構成をケース側（読取側）と取付部材側に分けることができ、ケース側の電子部品をより削減しやすくなるため、ケース側の小型化、軽量化を一層図りやすくなる。
【００３８】
請求項３１の発明では、ケース内に電池が収容されている。この構成では、ケース内に電源が存在するため、取付部材からケースを取り外している間、外部からの電力供給を受けずとも情報コードの読み取りを継続することができる。
【図面の簡単な説明】
【００３９】
【図１】図１は、第１実施形態に係る携帯型情報コード読取装置を概略的に例示する斜視図である。
【図２】図２は、図１の携帯型情報コード読取装置の電気的構成を概略的に例示するブロック図である。
【図３】図３は、図１の携帯型情報コード読取装置の使用状態を示す説明図である。
【図４】図４は、図１の携帯型情報コード読取装置の装置本体を横方向一方側から見た外形を簡略的に示す説明図である。
【図５】図５（Ａ）は、図１の携帯型情報コード読取装置の装置本体を示す斜視図であり、図５（Ｂ）は、図５（Ａ）とは異なる方向から見た斜視図である。
【図６】図６（Ａ）は、図１の携帯型情報コード読取装置のケース内のカメラ部の構成を示す斜視図であり、図６（Ｂ）は、図６（Ａ）とは異なる方向から見た斜視図である。
【図７】図７は、図１の携帯型情報コード読取装置の装置本体を示す斜視図である。
【図８】図８は、図１の携帯型情報コード読取装置の取付部材を示す斜視図である。
【図９】図９は、取付部からケースを取り外した状態を説明する説明図である。
【図１０】図１０は、図１の携帯型情報コード読取装置においてガイド部付近で切断した様子を概略的に示す断面概略図である。
【図１１】図１１は、図１の携帯型情報コード読取装置において、装置本体が取付部材から取り外された様子を概略的に示す説明図である。
【図１２】図１２は、第２実施形態に係る携帯型情報コード読取装置において、取付部からケースを取り外した状態を説明する説明図である。
【図１３】図１３は、第３実施形態に係る携帯型情報コード読取装置において、取付部からケースを取り外した状態を説明する説明図である。
【図１４】図１４は、第４実施形態の携帯型情報コード読取装置の取付部材を示す斜視図である。
【図１５】図１５は、図１４の取付部材を図１４とは異なる方向から見た斜視図である。
【図１６】図１６は、第５実施形態の携帯型情報コード読取装置の取付部材を概略的に示す説明図である。
【図１７】図１７は、第６実施形態の携帯型情報コード読取装置のケース内の構成を示す斜視図であり、
【図１８】図１８（Ａ）は、第６実施形態の携帯型情報コード読取装置において、撮像部が第１回転位置のときの様子を示す説明図であり、図１８（Ｂ）は、撮像部が第２回転位置のときの様子を示す説明図である。
【図１９】図１９は、撮像画像からの切り出し範囲を説明する説明図である。
【図２０】図２０は、第９実施形態に係る携帯型情報コード読取装置が使用される様子を例示する説明図である。
【図２１】図２１は、第９実施形態に係る携帯型情報コード読取装置が装着された使用者の顔付近を例示する説明図である。
【図２２】図２２は、ケースに保持部材が取り付けられ、その保持部材にケーブルが保持された状態で装置本体を取付部に取り付けた様子を示す斜視図である。
【図２３】図２３は、第９実施形態に係る携帯型情報コード読取装置において、ケースを取付部から取り外した様子を簡略的に示す斜視図である。
【図２４】図２４は、第９実施形態に係る携帯型情報コード読取装置を概略的に例示する斜視図である。
【図２５】図２５は、第９実施形態に係る携帯型情報コード読取装置を図２４とは異なる方向から見た斜視図である。
【図２６】図２６は、第９実施形態に係る携帯型情報コード読取装置を図２４、図２５とは異なる方向から見た斜視図である。
【図２７】図２７は、第９実施形態に係る携帯型情報コード読取装置を図２４〜図２６とは異なる方向から見た斜視図である。
【図２８】図２８は、第９実施形態に係る携帯型情報コード読取装置において、装置本体を左側装着部に装着した様子を例示する斜視図である。
【図２９】図２９は、図２５の構成から装置本体及び保持部材を分解した様子を示す斜視図である。
【図３０】図３０は、第９実施形態に係る携帯型情報コード読取装置の一部である取付部を例示する斜視図である。
【図３１】図３１は、第９実施形態に係る携帯型情報コード読取装置の一部である装置本体を例示する側面図である。
【図３２】図３２は、図３１の装置本体を図３１とは反対側から見た側面図である。
【図３３】図３３は、図３１、図３２に示す装置本体がケーブルに接続された様子を例示する斜視図である。
【図３４】図３４は、第９実施形態に係る携帯型情報コード読取装置における取付構造に関し、被保持部を保持部によって保持する構造等を説明する説明図である。
【図３５】図３５は、第９実施形態に係る携帯型情報コード読取装置における取付構造に関し、取付部からケースを取り外す操作を説明する説明図である。
【図３６】図３６は、ケース内に収容された部品をケース前方側から見た図であり、ケース内に収容された撮像部やレンズ等の構成を例示する図である。
【図３７】図３７は、ケースから保持部材が離脱した状態を示す説明図である。
【図３８】図３８は、ケースに保持部材が取り付けられ、その保持部材にケーブルが保持された状態を示す説明図である。
【図３９】図３９は、使用者への取付部の取り付け方を説明する説明図である。
【図４０】図４０は、使用者に取付部が取り付けられた状態を、使用者の顔の前側から示す説明図である。
【図４１】図４１は、取付部に取り付けられたケースの向きを微調整する様子を説明する説明図である。
【図４２】図４２は、第９実施形態に係る携帯型情報コード読取装置を用いた読み取りの様子を例示する説明図である。
【図４３】図４３は、第９実施形態に係る携帯型情報コード読取装置に関する図２０、図４２とは異なる使用方法を例示する説明図である。
【図４４】図４４は、図４３のような使用方法がなされる場面を例示する説明図である。
【図４５】図４５は、装置本体と電気的に接続される外部装置等を概略的に示す斜視図である。
【図４６】図４６は、装置本体を外部機器に接続する様子を説明する説明図である。
【図４７】図４７は、第１０実施形態に係る携帯型情報コード読取装置を概略的に説明する説明図である。
【図４８】図４８は、第１０実施形態に係る携帯型情報コード読取装置に関し、図４７とは異なる方向から見た様子を概略的に説明する説明図である。
【図４９】図４９は、第１０実施形態に係る携帯型情報コード読取装置に関し、図４７の状態から装置本体を取り外した様子を説明する説明図である。
【図５０】図５０は、第１０実施形態に係る携帯型情報コード読取装置に関し、取付部材を裏面側から見た様子を説明する説明図である。
【図５１】図５１は、第１０実施形態に係る携帯型情報コード読取装置に関し、取付部材を側方から見た様子を説明する説明図である。
【図５２】図５２は、第１０実施形態に係る携帯型情報コード読取装置に関し、取付部材を前方から見た様子を説明する説明図である。
【図５３】図５３は、第１０実施形態に係る携帯型情報コード読取装置に関し、図４７の状態に加え、着脱部材を取り付けた様子を説明する説明図である。
【発明を実施するための形態】
【００４０】
[第１実施形態]
以下、本発明を具現化した第１実施形態の代表例について、図面を参照して説明する。
（全体構成）
図１、図２に示すように、第１実施形態に係る携帯型情報コード読取装置１０（以下、単に情報コード読取装置１０又は読取装置１０とも称する）は、情報コードを撮像する撮像部２３（以下、受光センサ２３とも称する）と、撮像部２３によって撮像された情報コードの画像を処理する処理部（制御回路４０（図２））と、撮像部２３及び処理部を保持するケース１２と、ケース１２とは別体として設けられ、ケース１２保持しつつ使用者に取り付ける取付部材６０とを備えている。
【００４１】
まず、情報コード読取装置１０の電気的構成について説明する。図２に示すように、情報コード読取装置１０は、ハードウェア的には一次元コードや二次元コードなどの情報コードを読取可能なコードリーダとして構成されており、ケース１２によって装置本体１１の外郭が構成され、このケース内に各種電子部品が収容された構成をなしている。
【００４２】
図２に示すように、情報コード読取装置１０は、主に、照明光源２１、マーカ光照射部８０、撮像部２３、フィルタ２５、結像レンズ２７等の光学系と、メモリ３５、制御回路４０、操作スイッチ４２等のマイクロコンピュータ（以下「マイコン」という）系と、電源スイッチ４１、電池４９等の電源系と、から構成されている。なお、これらは、図略のプリント配線板に実装あるいはケース１２内に内装されている。
【００４３】
光学系は、照明光源２１、撮像部２３、フィルタ２５、結像レンズ２７、マーカ光照射部８０等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、ケースに形成された照射口を介して読取対象物Ｒに向けて照明光Ｌｆを照射可能に構成されている。この読取対象物Ｒとしては、例えば、樹脂材料、金属材料等の様々な対象が考えられ、このような読取対象物Ｒに例えば図２のような情報コード１００が印刷などによって形成されている。なお、読み取り対象となる情報コード１００の種類はバーコードなどの一次元コードであってもよく、ＱＲコード（登録商標）、データマトリックスコート、マキシコードなどの二次元コードであってもよい。また、マーカ光照射部８０は、公知のマーカ光源等によって構成されており、照明光源２１が光を照射する側と同じ側に、例えば指向性の高いマーカ光ＭＫを照射するように構成されている。
【００４４】
撮像部２３は、情報コード１００を撮像可能な受光センサ（例えば、Ｃ−ＭＯＳやＣＣＤ等の受光素子を２次元に配列したエリアセンサ等）によって構成され、読取対象物Ｒや情報コード１００に照射されて反射した反射光Ｌｒを受光可能に構成されるものである。この撮像部２３は、結像レンズ２７を介して入射する入射光を受光面２３ａで受光可能に配置されている。
【００４５】
フィルタ２５は、例えば反射光Ｌｒの波長相当以下の光の通過を許容し、当該波長相当を超える光の通過を遮断し得る光学的なローパスフィルタで、ケース１２に形成された読取口１４と結像レンズ２７との間に設けられている。これにより、反射光Ｌｒの波長相当を超える不要な光が撮像部２３に入射することを抑制している。また、結像レンズ２７は、例えば、鏡筒とこの鏡筒内に収容される複数の集光レンズとによって構成されており、本実施形態では、ケース１２に形成された読取口１４（図３、図５等）に入射する反射光Ｌｒを集光し、撮像部２３の受光面２３ａに情報コード１００のコード画像を結像するように構成されている。
【００４６】
マイコン系は、増幅回路３１、Ａ／Ｄ変換回路３３、メモリ３５、アドレス発生回路３６、同期信号発生回路３８、制御回路４０、操作スイッチ４２、マイク４３、発音部４４、センサ部４６、通信部４８等から構成されている。このマイコン系は、マイコン（情報処理装置）として機能し得る制御回路４０及びメモリ３５を中心として構成され、前述した光学系によって撮像された情報コード１００の画像信号をハードウェア的およびソフトウェア的に信号処理し得るものである。
【００４７】
光学系の撮像部２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、撮像部２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００４８】
メモリ３５は、半導体メモリ装置などによって構成され、例えばＲＡＭ（ＤＲＡＭ、ＳＲＡＭ等）やＲＯＭ（ＥＰＲＯＭ、ＥＥＰＲＯＭ等）等がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、撮像部２３等の各ハードウェアを制御可能なシステムプログラム等が予め格納されている。
【００４９】
制御回路４０は、情報コード読取装置１０全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本構成の場合、電源スイッチ４１、操作スイッチ４２、マイク４３、発音部４４、センサ部４６、通信部４８等が接続されている。また、通信部４８は、有線通信又は無線通信を行う公知の通信インタフェースとして構成されており、ケース１２の外側に設けられた外部装置と通信を行い、外部装置への情報送信又は外部装置からの情報受信を行うように機能している。なお、図２の例では、「外部装置」として、情報コード読取装置１０の上位システムに相当するコンピュータＨＳＴ（据置型のパーソナルコンピュータや携帯型のパーソナルコンピュータ等）と有線又は無線（例えば、公知の無線ＬＡＮ通信やbluetooth（登録商標）通信等）にて通信可能に接続されている。
【００５０】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。
【００５１】
（装着構造等）
次に、携帯型情報コード読取装置１０の主要な特徴である装着構造等について説明する。
携帯型情報コード読取装置１０は、主に、装置本体１１と取付部材６０とによって構成されている。装置本体１１は、情報コード１００を撮像可能な撮像部２３と、撮像部２３によって撮像された情報コード１００の画像を処理する処理部（制御回路４０（図２）と、撮像部２３及び処理部を保持するケース１２とを備えた構成となっている。また、取付部材６０は、ケース１２とは別体として設けられ、撓み変形可能な可撓性の身体装着部（装着部）６２と、ケース１２が着脱される取付部６６とを備えている。
【００５２】
まず、装置本体１１の構成について説明する。
装置本体１１は、ケース１２の内部に図２に示す各種電子部品が収容されてなるものであり、本構成では、取付部材６０に対して図１のように装着可能とされており、図８、図９のように離脱可能とされている。
【００５３】
図４、図５に示すように、ケース１２は、全体として長手状且つ箱状に構成されている。なお、本構成では、装置本体１１の前後方向、幅方向（横方向）、上下方向を以下のように規定する。まず、撮像部２３の視野範囲の中心の方向（光軸方向）を前後方向としており、ケース１２の長手方向が前後方向となっている。そして、前後方向と直交する方向においてケース１２の厚さ方向が幅方向（横方向）となっており、ケース１２の対向壁部１２ａと取付部６６の取付壁部６６ａとが向かい合う方向が幅方向（横方向）となっている。そして、上記前後方向及び幅方向と直交する方向が上下方向となっている。なお、図４、図１０等に示すように、以下では、前後方向をＸ軸方向とし、上下方向をＹ軸方向とし、幅方向（横方向）をＺ軸方向として説明する。そして、前方向をＸ軸正方向、後ろ方向をＸ軸負方向とする。更に、上方向をＹ軸正方向、下方向をＹ軸負方向とする。そして、ケース１２側から見て取付部材６０側をＺ軸負方向とし、取付部材６０とは反対側をＺ軸正方向とする。
【００５４】
ケース１２は、このような定義において前端部に前壁部１３ｃが設けられ、後端部に後壁部１３ｄが設けられている。更に、幅方向（左右方向）一方側（取付部材６０側）に側壁部１３ｂが設けられ、これとは反対側に側壁部１３ａが設けられている。更に、上端部には上壁部１３ｅが設けられ、下端部には下壁部１３ｆが設けられている。そして、これら前壁部、後壁部、側壁部、上壁部、下壁部により、前後左右及び上下が囲まれる箱状構成で、撮像部や制御回路などの電子部品を収容する収容部が構成されている。そして、一方の側壁部１３ｂが、取付部材６０と対向する対向壁部１２ａとして機能している。この対向壁部１２ａは、「被取付部」の一例に相当し、ガイド部５０によって取付部６６に連結される部分として機能する。
【００５５】
また、本構成では、使用者の顔Ｆａを基準として顔Ｆａが向く方向を顔Ｆａの前側、後頭部側を顔Ｆａの後ろ側として説明する。
【００５６】
図１、図３、図５に示すように、ケース１２の前端部に設けられる前壁部１３ｃには、情報コードからの光を導入可能な読取口１４が設けられている。そして、取付部材６０は、図３のようにケース１２が使用者の顔Ｆａの横位置に配置され且つ読取口１４が使用者Ｐの前側を向く構成で当該ケース１２を使用者Ｐの耳Ｅｙに取り付ける構成となっている。このように、使用者の顔が向く側と同じ側に撮像部２３が向くように取付部材６０によってケース１２が取り付けられている。
【００５７】
図５、図７のように、ケース１２において上壁部１３ｅには、外部操作が可能な操作スイッチ４２が設けられている。また、ケース１２の内部には、図２のように照明光を照射する照明光源２１及びマーカ光を照射するマーカ光照射部８０が設けられており、照明光源２１からの照明光及びマーカ光照射部８０からのマーカ光はいずれも、前壁部１３ｃからケース１２の前側に照射されるようになっている。
【００５８】
次に、取付部材６０について説明する。
取付部材６０は、撓み変形可能な可撓性の身体装着部６２と、ケース１２が着脱される取付部６６と、身体装着部６２を支持するベース部６５とを備え、ケース１２とは別体として設けられている。この取付部材６０は、使用者の顔Ｆａが向く側に、読取口１４が向く構成でケース１２を使用者の耳Ｅｙに取り付ける構成となっている。
【００５９】
身体装着部６２は、使用者の両耳に掛けられる耳掛け部として構成されており、図１のように、被装着時の自然状態において所定形状で維持される構成であり、且つ弾性変形可能に構成されている。この身体装着部６２は、ベース部６５から延出した構成となっており、全体としてＵ字状の構成となっている。この身体装着部６２には、上方側に凸となるように湾曲した右耳掛け部６２ａと、右耳掛け部６２ａから離れて形成されると共に上方側に凸となるように湾曲した左耳掛け部６２ｂと、これら右耳掛け部６２ａと左耳掛け部６２ｂとを連結する連結部６２ｃとを備えている。連結部６２ｃは、図３のように取付部材６０を使用者の耳に掛けて装着したときに、使用者の後頭部又は首に当てられるように巻き付く部分である。
【００６０】
ベース部６５は、長手状に構成される取付部６６の長手方向中心部付近の裏面側（取付壁部６６ａとは反対面側）に連結され、ベース部６５の裏面側から突出した構成となっている。そして、ベース部の周壁部を起点として延び出る構成で身体装着部６２が湾曲して形成されている。
【００６１】
取付部６６は、全体として板状に構成されており、一方の板面側にベース部６５が連結され、他方の板面側にケース１２が着脱可能に連結される構成となっている。ケース１２が連結する板面側の壁部が取付壁部６６ａとして構成されており、この取付壁部６６ａにケース１２が装着及び離脱可能とされている。
【００６２】
ガイド部５０は、取付部材６０の取付部６６に対してケース１２を着脱可能に連結し、且つその連結の際に取付部６６に対するケース１２の姿勢が所定姿勢（具体的には、使用者Ｐの顔が向く方向（視線が向く側）に読取口１４が向く姿勢）となるようにガイドするように機能する。このガイド部５０は、ケース１２に設けられた２つのケース側連結部（第１ケース側連結部５１及び第２ケース側連結部５２）と、取付部材６０の取付部６６に設けられた２つの取付部材側連結部（第１取付部材側連結部５３及び第２取付部材側連結部５４）とを備えており、２つのケース側連結部と２つの取付部材側連結部とがそれぞれ連結することにより取付部材６０とケース１２とを連結する。
【００６３】
２つのケース側連結部は、磁石として構成される第１ケース側連結部５１及び第２ケース側連結部５２からなり、２つの取付部材側連結部は、磁石として構成される第１取付部材側連結部５３及び第２取付部材側連結部５４からなる。なお、第１ケース側連結部５１及び第２ケース側連結部５２は、一方側磁石又は磁性体の一例に相当し、第１取付部材側連結部５３及び第２取付部材側連結部５４は、磁性体又は一方側磁石の一例に相当する。
【００６４】
第１ケース側連結部５１と第１取付部材側連結部５３との極性が互いに異なり、これら第１ケース側連結部５１と第１取付部材側連結部５３とが互いに吸引して連結される構成となっている。例えば、第１ケース側連結部５１は、表面部がＮ極として構成された永久磁石として構成され、第１取付部材側連結部５３は、表面部がＳ極として構成された永久磁石として構成されており、互いの表面部が対向したときに吸引し合うようになっている。また、第２ケース側連結部５２と第２取付部材側連結部５４との極性が互いに異なり、これら第２ケース側連結部５２と第２取付部材側連結部５４とが互いに吸引して連結される構成となっている。例えば、第２ケース側連結部５２は、表面部がＳ極として構成された永久磁石として構成され、第２取付部材側連結部５４は、表面部がＮ極として構成された永久磁石として構成されており、互いの表面部が対向したときに吸引し合うようになっている。
【００６５】
更に、第１ケース側連結部５１と第２取付部材側連結部５４とが同極性であり、第２ケース側連結部５２と第１取付部材側連結部５３とが同極性である。上述の例では、第１ケース側連結部５１は、表面部がＮ極として構成され、第２取付部材側連結部５４も、表面部がＮ極として構成されているため、互いの表面部が対向したときに反発し合うようになっている。また、第２ケース側連結部５２は、表面部がＳ極として構成され、第１取付部材側連結部５３も、表面部がＳ極として構成されているため、互いの表面部が対向したときに反発し合うようになっている。
【００６６】
更に、対向壁部１２ａを基準とする撮像部２３の変位、又はベース部６５を基準とする取付部６６の変位を変更可能な変位調整部６４が設けられている変位調整部６４は、例えば公知のラチェット機構として構成されており、所定の回転軸を中心として、取付部６６を回転し得るように構成されており、取付部６６の回転位置を段階的に変更できるようになっている。
【００６７】
このように構成される読取装置１０では、所定のトリガ条件の成立毎に、又は所定の開始条件の成立後に継続的に情報コードの読み取り処理を行うことができるようになっている。例えば、操作スイッチが押されたことを撮像開始のトリガとし、操作スイッチが押された後に継続的に撮像部２３による撮像処理を行い、情報コードが撮像範囲に入り込む毎にその情報コードを読み取るようにしてもよい。或いは、操作スイッチ４２とは異なるセンサによって所定状態が検出されたことを条件として読み取りを開始するようにしてもよい。例えば、ケース１２の前方方向に物体が近接したことを検出する公知の近接センサを設け、物体が近接したときに照明光源や撮像部を動作させて撮像、解読を行うようにしてもよい。或いは、マイクから入力され音声を解析し、所定音声に該当するか否か（例えば一定量以上の音量が検出されたか否か、或いは所定波形の音声が検出されたか否か）を判断するようにすればよい。なお、この判断処理は、読取装置１０で行ってもよく、外部装置で行ってもよい。
【００６８】
（本構成の主な効果）
本構成によれば、情報コード読取装置１０を手で握らずに身体に装着して使用することが可能な構成を実現できる。更にこの構成では、身体に装着される部分（身体装着部６２）を身体に取り付けた状態で、ケース側を分離するように取り外すことができるため、取り外し作業の容易化を図ることができる。更に、身体装着部６２は、撓み変形可能な可撓性の構造であるため、身体に装着する際の自由度も大きくなる。
【００６９】
また、身体装着部６２は、被装着時の自然状態において所定形状で維持される構成であり、且つ弾性変形可能に構成されている。このように弾性復帰力によって規定形状で維持されようとする身体装着部６２を取り付ける構造であるため、身体に取り付ける際に複雑な結び作業などを省略し易くなり、装着の一層の容易化を図ることができる。
【００７０】
また、身体装着部６２は、使用者の耳に掛けられる耳掛け部として構成されている。この構成では、読取装置１０が耳に取り付けられるため、顔の動きと読取装置１０全体が連動することになり、使用者の顔の動きに合わせて読み取る方向を定めやすくなる。更に、取り付ける位置が耳であるため、他の装着具（ヘルメットや眼鏡等）が使用される場合でも容易に装着しやすくなる。
【００７１】
また、取付部材６０の所定の取付部６６に対してケース１２を着脱可能に連結し、且つその連結の際に取付部６６に対するケース１２の姿勢が所定姿勢（具体的には、使用者Ｐの顔が向く方向（視線が向く側）に読取口１４が向く姿勢）となるようにガイドするガイド部５０が設けられている。この構成では、読取装置１０を手で握らずに身体に装着して使用することが可能な構成において、身体からのケース側の取り外しを容易に行うことができ、且つ取り外し後の再装着も容易に行い得る構成を実現することができる。特に、再装着の際には、使用者に取り付けたままとされた取付部６６に対してケース１２の姿勢が所定姿勢となるようにガイド部５０によってガイドされるため、ケース１２側がより正確な位置及び向きになるように迅速に装着しやすくなる。
【００７２】
なお、本構成では、ガイド部５０によって定められるケース１２の「所定姿勢」は、例えば、図１のように、取付部６６の長手方向とケース１２の長手方向とが一致し、且つ、各ケース側連結部と各取付部材側連結部とがそれぞれ接触又は近接する姿勢となっている。
【００７３】
また、ガイド部５０は、ケース１２に設けられた少なくとも２つのケース側連結部と、取付部材６０の取付部６６に設けられた少なくとも２つの取付部材側連結部と、を備えており、２つのケース側連結部と２つの取付部材側連結部とがそれぞれ連結されることにより取付部材６０とケース１２とが連結される構成となっている。このように、取付部材６０に定められた少なくとも２つの連結部（取付部材側連結部）に対し、ケース１２に設けられた２つの連結部（ケース側連結部）を合わせるように連結する構成であるため、ケース１２の向きが所望の方向を向くように、より正確に設定されやすくなる。
【００７４】
また、ガイド部５０が、ケース１２及び取付部６６の一方に設けられた一方側磁石と、ケース１２及び取付部６６の他方に設けられ、一方側磁石に吸引される磁性体とを有する。この構成によれば、一方側磁石と他方側の磁性体との間で生じる吸引力を利用してケース１２を取付部材６０の所定位置に導くことができ、位置合わせや連結の負担をより低減することができる。
【００７５】
なお、上記構成では、第１ケース側連結部５１及び第２ケース側連結部５２と、第１取付部材側連結部５３及び第２取付部材側連結部５４とがいずれも磁石によって構成されていたが、例えば、第１ケース側連結部５１及び第２ケース側連結部５２を磁石（一方側磁石）によって構成し、第１取付部材側連結部５３及び第２取付部材側連結部５４を鉄等の公知の磁性体によって構成してもよい。或いは、第１ケース側連結部５１及び第２ケース側連結部５２を鉄等の磁性体によって構成し、第１取付部材側連結部５３及び第２取付部材側連結部５４を磁石（一方側磁石）によって構成してもよい。或いは、第１ケース側連結部５１及び第２取付部材側連結部５４を磁石によって構成し、第２ケース側連結部５２及び第１取付部材側連結部５３を鉄等の磁性体によって構成してもよい。
【００７６】
具体的には、２つのケース側連結部は、磁石として構成される第１ケース側連結部５１及び第２ケース側連結部５２からなり、２つの取付部材側連結部は、磁石として構成される第１取付部材側連結部５３及び第２取付部材側連結部５４からなる。そして、第１ケース側連結部５１の表面部の極性と第１取付部材側連結部５３の表面部の極性が互いに異なり、これら第１ケース側連結部５１と第１取付部材側連結部５３とが互いに吸引し、例えば表面部同士が接触するように連結される構成となっている。また、第２ケース側連結部５２の表面部の極性と第２取付部材側連結部５４の表面部の極性が互いに異なり、これら第２ケース側連結部５２と第２取付部材側連結部５４とが互いに吸引し、例えば表面部同士が接触するように連結される構成となっている。更に、第１ケース側連結部５１の表面部と第２取付部材側連結部５４の表面部とが同極性となっており、第２ケース側連結部５２の表面部と第１取付部材側連結部５３の表面部とが同極性となっている。
【００７７】
この構成では、図１０のように、２つの連結位置において対応する連結部同士（即ち、第１ケース側連結部５１と第１取付部材側連結部５３、第２ケース側連結部５２と第２取付部材側連結部５４）がそれぞれ対向した位置関係になった場合に、それぞれの連結位置で生じる吸引力を利用してケース１２をガイド部５０の所定位置により正確に導くことができる。逆に、対応しない連結部同士（即ち、第１ケース側連結部５１と第２取付部材側連結部５４、第２ケース側連結部５２と第１取付部材側連結部５３）は、表面部同士が互いに同極性であるため、それぞれが対向するような向き（逆向き）で連結が試みられても、各位置で表面部同士が反発し合うことになり、連結されないことになる。従って、図１０のように正規の向きの場合には、取付部材６０に対するケース１２の位置合わせをより正確かつ迅速に行い易くなり、逆向きでの異常な連結については、より確実に防ぐことができる。
【００７８】
また、取付部材６０は、取付部６６と連結されるベース部６５を備え、ベース部６５から身体装着部（使用者装着部）６２が延びている。そして、ケース１２は、ガイド部５０によって取付部６６に連結される対向壁部（被取付部）１２ａを備えている。更に、ベース部６５を基準とする取付部６６の変位を変更可能な変位調整部６４が設けられている。この構成では、変位調整部６４により、ベース部６５を基準とする取付部６６の変位（具体的には、ベース部６５に対する取付部６６の姿勢）を調整することができるため、ケース１２が取付部６６に取り付けられたときの撮像部２３の向きがより望ましい方向となるように微調整しやすくなる。
【００７９】
また、本構成では、ケース１２内に電池４９が収容されている。この構成では、ケース１２内に電源が存在するため、取付部材６０からケース１２を取り外している間、外部からの電力供給を受けずとも情報コードの読み取りを継続することができる。
【００８０】
［第１実施形態の変更例１]
次に、図１１を参照して第１実施形態の変更例１について説明する。
変更例１に係る携帯型情報コード読取装置１０は、電源供給（電力供給の方法）のみが上記第１実施形態の代表例と異なり、それ以外は第１実施形態の代表例と同一である。具体的には、取付部材６０とケース１２とを連結するようにケーブル（接続ケーブル）１９が設けられている。このケーブル１９は、取付部材６０又は取付部材６０に電気的に接続された電池からケース１２側に電力を供給するように構成されている。この構成では、電気的な構成をケース１２側（読取側）と取付部材６０側に分けることができ、ケース側の電子部品をより削減しやすくなるため、ケース側の小型化、軽量化を一層図りやすくなる。
【００８１】
なお、取付部材６０に電池を配置する場合、様々な配置とすることができる。例えば、図示しない電池収容部を、取付部６６や、ベース部６５などと一体的に設けてもよく、身体装着部６２と一体的に電池収容部を設けてもよい。この場合、その電池収容部とケーブル１９とが電気的に接続され、電池収容部に収容される電池からケース１２側（即ち、装置本体１１側）に電力供給がなされる構成とすればよい。なお、電池からの電力は、電池から直接的にケース１２側に供給されてもよく、電池からの電力供給を受けて動作する回路（例えば、電源回路など）からケース１２側に供給されてもよい。また、装置本体１１や取付部材６０とは別の機器に電池を収容してもよく、この場合、当該別の機器と取付部材６０とを接続するようにケーブルを設け、当該別の機器から取付部材６０を介して装置本体１１側に電力供給がなされるように構成すればよい。この場合、別の機器に収容された電池又は電源回路等からの電力が図示しないケーブルを介して取付部材６０側に供給され、その電力がケーブル１９を介して装置本体１１側に供給されることになる。
【００８２】
なお、ケーブル１９は、電力供給に用いるのではなく、情報通信に用いるものであってもよい。或いは、電力供給と情報通信に併用してもよい。例えば、図２に示す通信部４８を取付部材６０に設けられた機器内又は取付部材６０に電気的に接続された機器内に設け、装置本体１１側から取付部材６０側にデータ（例えば解読データ）を送信し、取付部材６０に設けられた機器内又は取付部材６０に電気的に接続された機器内に設けられた通信部４８から外部装置にデータ（解読データ）を送信するように構成してもよい。或いは、装置本体１１側に、撮像部２３を設け、取付部材６０に設けられた機器内又は取付部材６０に電気的に接続された機器内に、制御回路４０やメモリ３５、又はこれらと同様の構成の制御回路やメモリを設けるようにしてもよい。この場合、撮像部２３で撮像されたデータ（画像データ）を取付部材６０に設けられた機器内又は取付部材６０に電気的に接続された機器内に設けられた制御回路４０によって解読するようにしてもよい。
【００８３】
なお、取付部材６０に通信部４８、制御回路、メモリなどのいずれか又は全てを配置する場合、様々な配置とすることができる。例えば、これらの内の少なくともいずれかの電子部品を収容する図示しない電子部品収容部を、取付部６６や、ベース部６５などと一体的に設けてもよく、身体装着部６２と一体的に電子部品収容部を設けてもよい。この場合、その電子部品収容部とケーブル１９とが電気的に接続され、電子部品収容部に収容される電子部品とケース１２側（即ち、装置本体１１側）の電子部品との間で情報通信がなされる構成とすればよい。また、装置本体１１や取付部材６０とは別の機器に電子部品を収容してもよく、この場合、当該別の機器と取付部材６０とを接続するようにケーブルを設け、当該別の機器から取付部材６０を介して装置本体１１側に情報送信が行われ、装置本体１１側から取付部材６０を介して当該別の機器側に情報送信が行われるように構成すればよい。
【００８４】
なお、図１１に示すケーブル１９は、ケース１２内に収容可能に構成されていてもよく、取付部材６０に設けられた収容部（図示略）に収容可能に構成されていてもよい。また、このようにケーブル１９を収容可能に構成する場合、収容部にはケーブル１９の自動巻き取り機構を設けるようにするとよい。
【００８５】
［第１実施形態の変更例２]
次に、第１実施形態の変更例２について説明する。
変更例２に係る携帯型情報コード読取装置１０は、磁石以外は第１実施形態の代表例又は変更例１と同一の構成となっている。具体的には、第１ケース側連結部５１、第２ケース側連結部５２、第１取付部材側連結部５３、第２取付部材側連結部５４のそれぞれの表面部の極性の組合せのみが第１実施形態の代表例又は変更例１と異なり、それ以外は代表例又は変更例１と同一である。
【００８６】
上記代表例や変更例１では、第１ケース側連結部５１の表面部の極性と第２ケース側連結部５２の表面部の極性とが異なり、第１ケース側連結部５１の表面部と第２取付部材側連結部５４の表面部とが同極性となっており、第２ケース側連結部５２の表面部と第１取付部材側連結部５３の表面部とが同極性となっている例を示した。これに対し、変更例２では、第１ケース側連結部５１の表面部と第２ケース側連結部５２の表面部とが同極性（例えば、露出する各表面部がＮ極）となっている。また、第１取付部材側連結部５３の表面部と第２取付部材側連結部５４の表面部とが同極性（例えば、露出する各表面部がＳ極）となっている。このように、ケース１２側（即ち装置本体１１側）において各ケース側連結部（各磁石）の表面部の極性を統一し、取付部材６０側においても各取付部材側連結部（各磁石）の表面部の極性を統一すれば、位置ずれに起因する吸引力の低下を抑えることができ、より強固に連結され易くなる。特に、ケース側連結部同士の距離が近くなり、取付部材側連結部の距離が近くなる場合、この効果がより顕著になる。
【００８７】
［第２実施形態]
次に、図１２を参照して第２実施形態について説明する。
この第２実施形態に係る携帯型情報コード読取装置２１０は、ケースの対向壁部の構成、取付部材の取付壁部の構成、ガイド部の構成のみが第１実施形態又は第１実施形態の変更例と異なり、それ以外は第１実施形態又は第１実施形態の変更例と同一である。従って、それ以外は第１実施形態又は第１実施形態の変更例と同一であるとして詳細な説明は省略する。例えば、取付部材２６０は、取付部材側連結部２５３、２５４のみが第１実施形態で開示される取付部材６０と異なる。また、ケース２１２は、ケース側連結部２５１，２５２の構成のみが第１実施形態で開示されるケース１２と異なる。また、装置本体２１１、対向壁部２１２ａ，取付部２６６，取付壁部２６６ａについても、これら相違点のみが、第１実施形態の装置本体１１、対向壁部１２ａ，取付部６６，取付壁部６６ａと異なり、それ以外はこれらと同一である。
【００８８】
本構成でも、取付部材２６０の所定の取付部２６６に対してケース２１２を着脱可能に連結し、且つその連結の際に取付部２６６に対するケース２１２の姿勢が所定姿勢（具体的には、図３と同様、使用者Ｐの顔が向く方向（視線が向く側）に読取口１４が向く姿勢）となるようにガイドするガイド部２５０が設けられている。
【００８９】
第２実施形態で用いられるガイド部２５０は、ケース２１２に設けられた２つのケース側連結部２５１，２５２と、取付部材２６０の取付部２６６に設けられた２つの取付部材側連結部２５３、２５４とを備えている。そして、２つのケース側連結部２５１，２５２と２つの２つの取付部材側連結部２５３、２５４とがそれぞれ連結することにより取付部材２６０とケース２１２とを連結する構成となっている。２つのケース側連結部２５１，２５２は、一方側シート材として機能し、２つの取付部材側連結部２５３、２５４は、他方側シート材として機能しており、ケース側連結部２５１と取付部材側連結部２５３とが面ファスナーとして連結するようになっており、ケース側連結部２５２と取付部材側連結部２５４とが面ファスナーとして連結するようになっている。
【００９０】
この構成によれば一方側シート材と他方側シート材とが結合しようとする作用を利用して、ケース１２を取付部材６０の所定位置に導くことができる。特に、再装着の際には、一方側シート材と他方側シート材を接触させるように操作すれば良く、再装着の際に大きな力や複雑な操作が不要であるため、作業性の面でも優れる。
【００９１】
なお、ここでは、面ファスナー構造によって連結する例を示したが、２つのシート状の構造物が着脱し得る公知の連結構造であればこの例に限られない。
【００９２】
［第３実施形態]
次に、図１３を参照して第３実施形態について説明する。
この第３実施形態に係る携帯型情報コード読取装置３１０は、ケースの対向壁部の構成、取付部材の取付壁部の構成、ガイド部の構成のみが第１実施形態又は第１実施形態の変更例と異なり、それ以外は第１実施形態又は第１実施形態の変更例と同一である。従って、それ以外は第１実施形態又は第１実施形態の変更例と同一であるとして詳細な説明は省略する。例えば、取付部材３６０は、取付部材側連結部３５３、３５４のみが第１実施形態で開示される取付部材６０と異なる。また、ケース３１２は、ケース側連結部３５１，３５２の構成のみが第１実施形態で開示されるケース１２と異なる。また、装置本体３１１、対向壁部３１２ａ，取付部３６６，取付壁部３６６ａについても、これら相違点のみが、第１実施形態の装置本体１１、対向壁部１２ａ，取付部６６，取付壁部６６ａと異なり、それ以外はこれらと同一である。
【００９３】
本構成でも、取付部材３６０の所定の取付部３６６に対してケース３１２を着脱可能に連結し、且つその連結の際に取付部３６６に対するケース３１２の姿勢が所定姿勢（具体的には、図３と同様、使用者Ｐの顔が向く方向（視線が向く側）に読取口１４が向く姿勢）となるようにガイドするガイド部３５０が設けられている。
【００９４】
第３実施形態で用いられるガイド部３５０は、ケース３１２に設けられた２つのケース側連結部３５１，３５２と、取付部材３６０の取付部３６６に設けられた２つの取付部材側連結部３５３、３５４とを備えている。そして、２つのケース側連結部３５１，３５２と２つの２つの取付部材側連結部３５３、３５４とがそれぞれ連結することにより取付部材３６０とケース３１２とを連結する構成となっている。２つのケース側連結部３５１，３５２は、一方側嵌合部として機能し、２つの取付部材側連結部３５３、３５４は、被嵌合部として機能しており、ケース側連結部３５１と取付部材側連結部３５３とが嵌合構造で連結するようになっており、ケース側連結部３５２と取付部材側連結部３５４とが嵌合構造で連結するようになっている。図１３の例では、２つのケース側連結部３５１，３５２がいずれも凹部として構成され、２つの取付部材側連結部３５３、３５４がいずれも凸部として構成されており、２つのケース側連結部３５１，３５２の内部に２つの取付部材側連結部３５３、３５４がそれぞれ嵌り込んで連結するようになっている。
【００９５】
この構成によれば一方側嵌合部と被嵌合部とが嵌合しようとする作用を利用して、ケース１２を取付部材６０の所定位置に導くことができる。また、特別な材料や複雑な構造を多用せずともケース１２を取付部材６０に安定的に取り付けることができる。
【００９６】
図１３の例では、２つのケース側連結部３５１，３５２がいずれも凹部として構成され、２つの取付部材側連結部３５３、３５４がいずれも凸部として構成された例を示したが、２つのケース側連結部３５１，３５２がいずれも凸部として構成され、２つの取付部材側連結部３５３、３５４がいずれも凹部として構成され、２つの取付部材側連結部３５３、３５４の内部に２つのケース側連結部３５１，３５２がそれぞれ嵌り込んで連結するような構成であってもよい。
【００９７】
なお、ここでは、２つのケース側連結部３５１，３５２と２つの取付部材側連結部３５３、３５４とがそれぞれ嵌合構造で連結する構成を示したが、２つのケース側連結部と２つの取付部材側連結部とが嵌合以外の公知の係合構造（例えば、孔部と係合爪とによる連結構造など）で連結する構成であってもよい。
【００９８】
［第４実施形態]
次に、図１４、図１５等を参照して第４実施形態について説明する。
第４実施形態に係る携帯型情報コード読取装４１０置は、取付部材の構成のみが第１実施形態又は第１実施形態の変更例と異なり、それ以外は第１実施形態又は第１実施形態の変更例と同一である。具体的には、ベース部及び身体装着部のみが第１実施形態又は第１実施形態の変更例と異なり、それ以外は第１実施形態又は第１実施形態の変更例と同一となっている。例えば、装置本体１１は、第１実施形態と同一である。
【００９９】
第４実施形態で用いられる取付部材４６０は、取付部４６６の構造は第１実施形態で用いられる取付部６６と同一となっている。一方、身体装着部４６２（使用者装着部）は、第１実施形態で用いられる身体装着部６２と異なり、使用者の腕又は指に掛けられるバンド部材として構成されている。この身体装着部４６２は、一対の湾曲部４６２ａ、４６２ｂが互いに対向して配置され、全体として略環状に構成されている。そして、一対の湾曲部４６２ａ、４６２ｂの先端部が互いに対向して配置され、先端部間には隙間が形成されている。身体装着部４６２が一般的な指のサイズ程度に構成されている場合、このような湾曲部４６２ａ、４６２ｂの間に指を挿入しつつ指輪状に保持することで、使用者の指に取付部材４６０を装着できる。また、身体装着部４６２が一般的な手首のサイズ程度に構成されている場合、このような湾曲部４６２ａ、４６２ｂの間に手首を配置しつつ腕輪状に保持することで、使用者の腕に取付部材４６０を装着できる。
【０１００】
この構成では、装置本体１１が指又は腕に取り付けられるため、手で握らずに操作可能な構成を実現しつつ、手の動きと連動させやすくなる。
【０１０１】
なお、第４実施形態のいずれの構成でも、対向壁部の構成、取付壁部の構成、ガイド部の構成を第２実施形態のようにしてもよく、第３実施形態のようにしてもよい。
【０１０２】
［第４実施形態の変更例]
第４実施形態の変更例では、第１実施形態の取付部材６０（図８等）と、第４実施形態の取付部材４６０（図１４、図１５等）を用いることができるようになっている。
【０１０３】
本構成では、装置本体１１の構成は第一実施形態と同一であり、この構成でも、装置本体１１は、情報コードを撮像する撮像部２３と、撮像部２３によって撮像された情報コードの画像を処理する処理部と、撮像部２３及び処理部を保持するケース１２とを備えている。そして、いずれの取付部材も、使用者装着部と、ケース１２が着脱される取付部とを備えており、ケース１２とは別体として構成されている。
【０１０４】
この構成では、複数種類の取付部材６０、４６０が使用者に取り付け可能とされており、いずれの取付部材が使用者に取り付けられた場合でも、その取り付けられた取付部材に対してケース１２を連結可能とされている。そして、この場合、取付部材６０と取付部材４６０を択一的に用いるようにしてもよく、両方の取付部材６０、４６０を装着した上で、いずれかの取付部材にケース１２を取り付けるようにしてもよい。
【０１０５】
この構成では、予め用意された複数種類の取付部材６０の中からいずれかを選択して利用することができ、使用状況に合わせて適切な位置に装着することが可能となる。そして、いずれの種類の取付部材６０を用いる場合でも、ケース側は共通して用いることができるため、取付部材６０の種類毎にケース側の構造を用意せずに済み、部品点数の低減及びコスト低減を図りやすくなる。
【０１０６】
また、本構成では、複数種類の取付部材６０、４６０の内、いずれかの取付部材にケース１２が連結された場合に、ケース１２が連結された取付部の種類を判定するようにしてもよい。
【０１０７】
例えば、取付部材６０において、図８に示す一点鎖線Ａの位置に突起部を設け、取付部材４６０において図１４に示す一点鎖線Ｂの位置にも突起部を設けるように構成し、ケース１２においてこれらＡの位置、Ｂの位置に対応するように第１孔部、第２孔部をそれぞれ形成するようにしてもよい。そして、例えば取付部材６０にケース１２が装着された場合には、Ａの位置に形成された突起部がケース１２に形成された第１孔部内に挿入されるように構成し、取付部材４６０にケース１２が装着された場合には、Ｂの位置に形成された突起部がケース１２に形成された第２孔部内に挿入されるようにすればよい。この場合、第１孔部への突起部の挿入及び第２孔部への突起部の挿入を検出するセンサを設け、センサによって、第１孔部への突起部の挿入が検出された場合には、取付部材６０に取り付けられたと判定し、第２孔部への突起部の挿入が検出された場合には、取付部材４６０に取り付けられたと判定すればよい。この構成では、上述のセンサが取付検出部の一例に相当する。また、このセンサ及び制御回路が判定部の一例に相当する。
【０１０８】
また、装置本体１１では、判定部によって判定された種類の応じた対応処理を行うようにしてもよい。例えば、取付部材６０にケース１２が取り付けられたことが上記判定部によって検出された場合には、読み取りのモードを第１モードとし、取付部材４６０にケース１２が取り付けられたことが上記判定部によって検出された場合には、読み取りのモードを第２モードとするようにモード切り替えを行うような構成とすることができる。この場合、例えば耳に装着されるときの第１モードでは、継続的に撮像処理を行い、情報コードが撮像される毎に自動的に読み取り処理を行うようなオートセンスモードとすればよい。また、指或いは腕に装着されるときの第２モードでは、操作スイッチ４２が押される毎に読み取り処理を行うようなモードとすればよい。本構成では、制御回路４０が設定変更部の一例に相当する。また、制御回路４０は、対応処理部の一例に相当し、判定部によって判定された種類に応じた対応処理を行うように機能する。
【０１０９】
なお、対応処理部の例はこの例に限られず、ケースが取り付けられる取付部材の種類に合わせて処理を変更し得る例であればよい。例えば、種類Ａ（例えば、耳に取り付けられる取付部材）の取付部材に取り付けられた場合には、ブザー等の音量を小レベルにし、種類Ｂ（例えば、指や腕に取り付けられる取付部材）の取付部材に取り付けられた場合には、ブザー等の音量を大レベルにするようにしてもよい。或いは、種類Ａ（例えば、耳に取り付けられる取付部材）の取付部材に取り付けられた場合には、バイブレータをオフとし、種類Ｂ（例えば、指や腕に取り付けられる取付部材）の取付部材に取り付けられた場合には、バイブレータをオンにするようにしてもよい。
【０１１０】
この構成では、複数種類の取付部材６０を利用する上でケース１２を共通して利用可能な構成を実現しつつ、ケース側では、装着された取付部材６０の種類を判定し、その種類に合わせた処理を行うことが可能となる。
【０１１１】
なお、ケース１２に連結された取付部材の種類の判定方法はこの方法に限られない。例えば、使用者がケース１２の内部に取付部材の種類の情報を入力できるようにしてもよい。或いは、各取付部材に通信手段を設け、各取付部材からケース１２側に自身の種類を特定する信号を送信できるようにしてもよい。
【０１１２】
［第５実施形態]
次に、図１６を参照して第２実施形態について説明する。
この第５実施形態に係る携帯型情報コード読取装置５１０は、取付部材５６０の構成（具体的には、取付部６６と身体装着部６２（使用者装着部）とを連結するベース部５６５の構成（具体的には、変位調整部５６４の構成））のみが第１実施形態と異なり、それ以外は第１実施形態と同一である。従って、それ以外は第１実施形態と同一であるとして詳細な説明は省略する。例えば、装置本体１１については、第１実施形態と同一の装置本体１１が用いられる。また、取付部６６も第１実施形態と同一の取付部６６が用いられ、身体装着部６２も第１実施形態と同一の身体装着部６２が用いられる。なお、図１６では、装置本体１１を省略して示している。
【０１１３】
第５実施形態で用いられる変位調整部５６４は、身体装着部６２側と取付部６６側とを球面対偶構造にて連結するボールジョイントとして構成されている。この構成では、ベース部５６５と取付部６６と球面対偶構造で連結することにより、ベース部５６５に対する取付部６６の向きを三次元的に変化させることができる。
【０１１４】
なお、第５実施形態のいずれの構成でも、対向壁部の構成、取付壁部の構成、ガイド部の構成を第２実施形態のようにしてもよく、第３実施形態のようにしてもよい。また、第５実施形態のベース部の構造を、第４実施形態や第４実施形態の変形例に適用してもよい。
【０１１５】
［第６実施形態]
次に、第６実施形態について、図１７、図１８を参照して説明する。
本実施形態では、装置本体側の構成のみが第１実施形態又は第１実施形態の変更例と異なり、それ以外の構成は、第１実施形態又は第１実施形態の変更例と同一である。特に取付部材６０は第１実施形態と同一である。
【０１１６】
この構成でも、装置本体６１１内の電気的構成は第１実施形態と同一であり、情報コードを撮像する撮像部２３と、撮像部２３によって撮像された前記情報コードの画像を処理する制御回路４０（処理部）とが設けられている。そして、これら撮像部２３及び処理部などがケース６１２内部に収容されて一体化された構成となっている。また、取付部材６０は、第１実施形態と同一の構成であり、ケース６１２と別体として構成され、図８等と同一の身体装着部６２とベース部６５と取付部６６とを備えている。
【０１１７】
そして本構成では、撮像部２３を当該撮像部２３の受光面の平面方向と交差する所定方向の回転軸Ｃ１を中心として回転可能に構成され、撮像部２３を少なくとも２つの回転位置に切り替え可能な回転機構６２０が設けられている。図１７の例では、ケース６１２における先端側の一部（回転部６１２ｂ）を、図１７の実線位置と二点鎖線の位置とに切替可能となっており、実線位置のときには、図１７、図１８で一点鎖線で示すような横方向に広い視野範囲ＡＲ１が設定され、回転部２１２ｂが二点鎖線の位置（符号６１２ｂ’）のときには、図１７、図１８で二点鎖線で示すような縦方向に広い視野範囲ＡＲ２が設定されるようになっている。なお、回転軸Ｃ１は、前後方向の軸となっており、例えば、視野範囲の中心となる光軸の方向となっている。なお、図１８では、回転部６１２ｂの外形を一点鎖線にて概念的に示しており、回転部６１２ｂの内部構造を実線にて示している。
【０１１８】
本構成では、撮像部２３を当該撮像部２３の受光面の平面方向と交差する所定方向の回転軸Ｃ１を中心として回転可能に構成され、撮像部２３を少なくとも２つの回転位置に切り替え可能な回転機構６２０を有する。この構成では、身体への装着状態に合わせて撮像部２３の向きをより適切な向きに変更しやすくなる。
【０１１９】
なお、本実施形態の特徴は、上述したいずれの実施形態の構成にも適用でき、いずれの実施形態の変更例にも適用でできる。
【０１２０】
［第７実施形態]
次に、第７実施形態について説明する。
本実施形態では、制御回路による制御方法のみが第４実施形態の変更例と異なり、それ以外は第４実施形態の変更例と同一である。
【０１２１】
本構成では、装置本体１１の構成は第１実施形態と同一であり、この構成でも、装置本体１１は、情報コードを撮像する撮像部２３と、撮像部２３によって撮像された情報コードの画像を処理する処理部と、撮像部２３及び処理部を保持するケース１２とを備えている。そして、取付部材は、第１実施形態の取付部材６０（図８等）と、第４実施形態の取付部材４６０（図１４、図１５等）を用いることができるようになっている。いずれの取付部材も、身体装着部と、ケース１２が着脱される取付部とを備えており、ケース１２とは別体として構成されている。なお、ここでは、２種類の取付部材を例示するが、例えば、耳、指、腕、頭等の３種類以上の位置に取り付け可能な３種類以上の取付部材が使用可能であってもよい。
【０１２２】
この構成でも、複数種類の取付部材６０、４６０が使用者に取り付け可能とされており、いずれの取付部材が使用者に取り付けられた場合でも、その取り付けられた取付部材に対してケース１２を連結可能とされている。そして、この場合、取付部材６０と取付部材４６０を択一的に用いるようにしてもよく、両方の取付部材６０、４６０を装着した上で、いずれかの取付部材にケース１２を取り付けるようにしてもよい。
【０１２３】
そして、検出部により、ケース１２の取り付け位置を検出可能となっており、撮像部２３によって撮像された画像から検出部の検出結果に対応する範囲を選択する構成となっている。具体的には、第４実施形態の変更例と同様、複数種類の取付部材６０、４６０の内、いずれかの取付部材にケース１２が連結された場合に、ケース１２が連結された取付部の種類を判定するようになっており、第４実施形態の変更例で用いられた判定部（取付部材の種類を検出するセンサ、及び制御回路４０）が検出部の一例に相当する。
【０１２４】
本構成では、予め取付部材の種類毎に、全撮像画像からの選択範囲（切り出し範囲）が定められている。例えば、装置本体１１が、耳に掛けられる取付部材６０に取り付けられる場合には、図１９のように、全撮像画像の範囲Ｂ１の中から縦長の範囲Ｂ２を選択して画像処理に用い、装置本体１１が指又は腕に掛けられる取付部材４６０に取り付けられる場合には、図１９のように、全撮像画像の範囲Ｂ１の中から横長の範囲Ｂ３を選択して画像処理に用いるようにしてもよい。この例に限らず、例えば、装置本体１１が、耳に掛けられる取付部材６０に取り付けられる場合には、全撮像画像の範囲Ｂ１の中から所定第１範囲を選択して画像処理に用い、装置本体１１が指又は腕に掛けられる取付部材４６０に取り付けられる場合には、所定第１範囲よりも狭い又は広い所定第２範囲を選択して画像処理に用いるようにしてもよい。このように、撮像部２３によって撮像された画像から、検出部の検出結果に対応する範囲（即ち、検出された取付部材の種類に対して予め対応付けられている範囲）を切り出すように、種類毎に切り出し範囲を変更できるようになっている。
【０１２５】
なお、制御回路４０が、選択部の一例に相当し、受光センサ２３（撮像部）によって撮像された画像から検出部の検出結果に対応する範囲を選択するように機能する。
【０１２６】
この構成によれば、撮像部２３によって撮像された画像から、ケース１２が取り付けられた位置に合わせた範囲を選択して利用可能となる。従って、常に全画素のデータを全て利用する方法と比較して処理するデータ量を低減しつつ、取付位置に合わせたより適正な範囲の画像を用いやすくなる。
【０１２７】
［第８実施形態]
次に第８実施形態について説明する。
本実施形態では、制御回路による制御方法のみが第４実施形態の変更例と異なり、それ以外は第４実施形態の変更例と同一である。
【０１２８】
本構成では、装置本体１１の構成は第１実施形態と同一であり、この構成でも、装置本体１１は、情報コードを撮像する撮像部２３と、撮像部２３によって撮像された情報コードの画像を処理する処理部と、撮像部２３及び処理部を保持するケース１２とを備えている。そして、取付部材は、第１実施形態の取付部材６０（図８等）と、第４実施形態の取付部材４６０（図１４、図１５等）を用いることができるようになっている。なお、いずれの取付部材も、身体装着部と、ケース１２が着脱される取付部とを備えており、ケース１２とは別体として構成されている。
【０１２９】
この構成でも、複数種類の取付部材６０、４６０が使用者に取り付け可能とされており、いずれの取付部材が使用者に取り付けられた場合でも、その取り付けられた取付部材に対してケース１２を連結可能とされている。そして、この場合、取付部材６０と取付部材４６０を択一的に用いるようにしてもよく、両方の取付部材６０、４６０を装着した上で、いずれかの取付部材にケース１２を取り付けるようにしてもよい。
【０１３０】
制御回路４０は、ケース１２が取り付けられた取付部材の種類を判別した場合、その種類を特定する情報を外部装置ＨＳＴに送信するように構成されている。例えば、取付部材６０が種類１であり、取付部材４６０が種類２である場合、制御回路４０は、ケース１２が取付部材６０に取り付けられていることを確認した場合、外部装置ＨＳＴに種類１の情報（ケース１２が取り付けられた取付部材が種類１であることを特定する情報）を送信する。このとき、外部装置ＨＳＴは、例えば、種類１に対応するプログラムを装置本体１１に送信する。また、制御回路４０は、ケース１２が取付部材４６０に取り付けられていることを確認した場合、外部装置ＨＳＴに種類２の情報（ケース１２が取り付けられた取付部材が種類２であることを特定する情報）を送信する。このとき、外部装置ＨＳＴは、種類２に対応するプログラムを装置本体１１に送信する。
【０１３１】
本構成では制御回路４０と通信インタフェース４８が送信制御部の一例に相当し、検出部によって検出されたケース１２の取付位置の情報を外部装置に送信するように機能する。また、制御回路４０と通信インタフェース４８が受信部の一例に沿う装置、送信制御部によってケース１２の取付位置の情報が外部装置ＨＳＴに送信された場合に、外部装置ＨＳＴから、ケース１２の取付位置の情報に対応する応答情報を受信するように機能する。
この構成によれば、ケース１２が取り付けられた位置に合わせたデータを外部装置から取得して利用可能となる。
【０１３２】
なお、ケース１２の取付位置の情報に対応する応答情報として、ケース１２が取り付けられた取付部材の種類に予め対応付けられたプログラムを例示したが、このようなプログラムに限られない。例えば、種類１の場合には、種類１に対応するメッセージ情報や音声データなどを送信し、種類２の場合には、種類２に対応するメッセージ情報や音声データなどを送信してもよい。
【０１３３】
[第９実施形態] 
次に、第９実施形態について説明する。
第９実施形態に係る携帯型情報コード読取装置７１０は、形態のみが第１実施形態と異なり、電気的構成は第１実施形態と同一である。よって、電気的構成については、詳細な説明を省略し、適宜図２を参照することとする。
【０１３４】
（全体構成）
本構成の携帯型情報コード読取装置７１０は、主に、装置本体７１１と取付部材７６０とによって構成されている。装置本体７１１は、情報コード１００を撮像可能な撮像部２３（図２、図３６等）と、撮像部２３によって撮像された情報コード１００の画像を処理する処理部（制御回路４０（図２））と、撮像部２３及び処理部を保持するケース７１２とを備えた構成となっている。また、ケース７１２とは別体として設けられると共に使用者の顔が向く側を撮像する構成で撮像部２３を使用者に取り付ける取付部材７６０を備えている。この取付部材７６０は、撓み変形可能な可撓性の身体装着部（装着部）７６２と、ケース７１２が着脱される取付部７６６とを有し、使用者の人体に掛けられる構成となっており、ケース７１２を使用者の耳に取り付けるように機能するものである。
【０１３５】
まず、装置本体７１１の構成について説明する。
装置本体７１１は、ケース７１２の内部に図２に示す各種電子部品が収容されてなるものであり、本構成では、取付部材７６０に対して図２０〜図２２のように装着可能とされており、図２３、図２９のように離脱可能とされている。なお、本構成では、例えば、ケース７１２内に電池が収容されており、この電池からの電力を利用してケース７１２内の電子部品が動作するようになっている。
【０１３６】
図３１〜図３３等に示すように、ケース７１２は、全体として長手状且つ箱状に構成されている。なお、本構成では、装置本体７１１の前後方向、幅方向（横方向）、上下方向を以下のように規定する。まず、撮像部２３の視野範囲の中心の方向（光軸方向）を前後方向としており、ケース７１２の長手方向が前後方向となっている。そして、前後方向と直交する方向においてケース７１２の厚さ方向が幅方向（横方向）となっており、ケース７１２の対向壁部７１２ａと、対向壁部７１２ａの反対側の壁部（表側の側壁部７１２ｂ）とが向かい合う方向が幅方向（横方向）となっている。そして、上記前後方向及び幅方向と直交する方向が上下方向となっている。なお、以下では、前後方向をＸ軸方向とし、上下方向をＹ軸方向とし、幅方向（横方向）をＺ軸方向として説明する。そして、前方向をＸ軸正方向、後ろ方向をＸ軸負方向とする。更に、上方向をＹ軸正方向、下方向をＹ軸負方向とする。そして、ケース７１２側から見て取付部材７６０側をＺ軸負方向とし、取付部材７６０とは反対側をＺ軸正方向とする。
【０１３７】
図２３、図３１〜図３３のように、ケース７１２は、このような定義において前端部に前壁部７１２ｃが設けられ、後端部に後壁部７１２ｄが設けられている。更に、幅方向（左右方向）一方側（取付部材７６０側）に側壁部（対向壁部７１２ａ）が設けられ、これとは反対側に表側の側壁部７１２ｂが設けられている。更に、上下方向の一端部には壁部７１２ｅが設けられ、上下方向の他端部には壁部７１２ｆが設けられている。そして、これら前壁部、後壁部、側壁部、壁部、壁部により、前後左右及び上下が囲まれる箱状構成で、撮像部２３や制御回路４０などの電子部品を収容する収容部が構成されている。
【０１３８】
また、本構成では、使用者の顔Ｆａを基準として顔Ｆａが向く方向を顔Ｆａの前側、後頭部側を顔Ｆａの後ろ側として説明する。
【０１３９】
このケース７１２は、情報コードからの光を導入可能な読取口７１４を備えており、この読取口７１４を覆う構成で光透過性のカバー部材７１５が設けられている。また、図２１、図２６等に示すように、ケース７１２は、取付部材７６０への装着位置から所定方向に延びる延出部７１７（取付部材７６０に当接する部分から前側に延びる部分）を備え、且つその延出部７１７における取付部材７６０とは反対側の端部寄りに読取口７１４が設けられている。そして、この読取口７１４を覆うカバー部材７１５が前壁部７１２ｃとして構成されている。そして、取付部材７６０は、図２０、図２１のようにケース７１２が使用者の顔Ｆａの横位置に配置され且つ読取口７１４が使用者Ｐの前側を向く構成で当該ケース７１２を使用者Ｐの耳Ｅｙに取り付ける構成となっている。このように、使用者の顔が向く側と同じ側に撮像部２３が向くように取付部材７６０によってケース７１２が取り付けられている。
【０１４０】
また、ケース７１２において上下方向一方側の壁部７１２ｅには、外部操作（例えば、上下方向の押圧操作）が可能な操作スイッチ４２ａが設けられており、他方側の壁部７１２ｆには、外部操作（例えば、上下方向の押圧操作）が可能な操作スイッチ４２ｂが設けられている。これら操作スイッチ４２ａ、４２ｂは、図２の操作スイッチ４２を具体的に示すものである。操作スイッチ４２ａは、トリガスイッチとして機能し、操作スイッチ４２ｂは、トリガスイッチ以外の操作スイッチとして機能している。なお、メモリ３５には、操作スイッチ４２ａ，４２ｂのいずれをトリガスイッチとして機能させ、いずれを他のスイッチとして機能させるかを設定する設定情報が記憶されており、操作スイッチ４２ａ，４２ｂは、この設定情報に従って動作するようになっている。また、この設定情報は、ケース７１２が図４６のようにコンピュータなどの外部機器ＰＣに接続された場合に、この外部機器ＰＣによって書き換えることができるようになっている。
【０１４１】
また、ケース７１２の内部には、図３６のように照明光を照射する照明光源２１、マーカ光を照射するマーカ光照射部８０、ケース７１２の外部を撮像する撮像部２３が設けられており、照明光源２１からの照明光及びマーカ光照射部８０からのマーカ光はいずれも、読取口７１４を介して前壁部７１２ｃからケース７１２の前側に照射されるようになっている。また、本構成では、撮像部２３及び結像レンズ２７が上下方向中心部よりもやや上寄りに配置され、受光光軸Ｇが上下方向中心部よりもやや上寄りに位置している。また、照明光源２１は、上下方向中心部よりも下寄りに配置されており、照明光源２１と撮像部２３の間にマーカ光照射部８０が配置されるようになっている。図３６のように、前壁部７１２ｃ寄りの位置には、結像レンズ２７、マーカ光照射部８０のレンズ８０ａ、照明光源２１のレンズ２１ａが配置されており、照明光源２１のレンズ２１ａよりもマーカ光照射部８０のレンズ８０ａのほうが、結像レンズ２７（受光レンズ）に近い位置関係となっている。これにより、マーカ光の経路を、より受光光軸Ｇに近づけることができるようになっている。
【０１４２】
次に、取付部材７６０について説明する。
図２０、図２１等に例示されるように、取付部材７６０は、撓み変形可能な可撓性の身体装着部７６２と、ケース７１２が着脱される取付部７６６とを備えており、ケース７１２とは別体として設けられている。この取付部材７６０は、使用者の人体に掛けられて人体に保持される部分であり、具体的には、使用者の首から上の部分において体の構造上突出した部分（以下の例では、両耳部分）に掛けられることで、人体に保持されると共に人体の所定位置に位置決めされるようになっている。図２０、図２１等に示すように、この取付部材７６０は、ケース７１２が使用者の顔Ｆａの横位置に配置されると共に使用者の顔Ｆａが向く側に読取口７１４が向く構成でケース７１２を少なくとも使用者の耳Ｅｙに取り付ける構成となっている。
【０１４３】
身体装着部７６２は、少なくとも一部が使用者に直接接触して装着される部分であり、具体的には、使用者の両耳に掛けられる耳掛け部として構成されている。この身体装着部７６２は、図２４〜図２８のように、使用者に取り付けられていない被装着時の自然状態において所定形状で維持される構成であり、且つ弾性変形可能に構成され、可撓性の構造となっている。この身体装着部７６２は、後述する右側装着部７７０及び左側装着部７８０のそれぞれに両端部がそれぞれ連結された構成となっており、全体として略Ｕ字状の構成となっている。この身体装着部７６２には、使用者への装着時に上方側に凸となるように右側装着部７７０寄りの隣接位置に湾曲して形成された右耳取付部（右耳掛け部）７６２ａと、右耳取付部７６２ａから離れて形成されると共に上方側に凸となるように左側装着部７８０寄りの隣接位置に湾曲して形成された左耳取付部（左耳掛け部）７６２ｂと、これら右耳取付部７６２ａと左耳取付部７６２ｂとを連結する中間連結部７６２ｃとを備えている。中間連結部７６２ｃは、図２０等のように取付部材７６０を使用者の耳に掛けて装着したときに、使用者の後頭部又は首に当てられるように巻き付く部分である。
【０１４４】
取付部７６６は、使用者の顔の右側に配置されると共にケースを着脱可能な右側装着部７７０と、使用者の顔の左側に配置されると共にケースを着脱可能な左側装着部７８０とを有している。これら、右側装着部７７０、左側装着部７８０は、取付部の一例に相当する。本構成では、身体装着部７６２において、使用者の右耳に掛けられて右耳に支持される右耳取付部７６２ａ（右耳取付部７６２ａは、被支持部の一例に相当）から前側延出部７６３ａが前側（中間連結部７６２ｃとは反対側）に延びている。そして、右側装着部７７０は、身体装着部７６２における前側延出部７６３ａの先端部に連結されてケース７１２を保持する取付部として機能している。この構成では、図２０、図２１のように使用者に取付部材７６０を取り付けた取付時に、前側延出部７６３ａが右耳取付部７６２ａ（被支持部）よりも前側に延びて配置され、右耳取付部７６２ａ（被支持部）を支持する使用者の右耳の耳孔よりも前位置に右側装着部７７０（取付部）が配置される構成となっている。
【０１４５】
右側装着部７７０（取付部）は、図２０、図２１のような人体への装着時に右耳の耳孔よりも前位置において使用者の顔に対向して支持される裏面部７７１と、裏面部７７１の反対側に配置された表面部７７２とを備えている。裏面部７７１と表面部７７２は、いずれも外面が平坦に構成されており、例えば、裏面部７７１の外面（使用者の顔に支持される面）と表面部７７２の外面（ケース７１２の取付時にケース７１２と接触する面）とが略平行になっている。裏面部７７１と表面部７７２の間の厚さは、右耳取付部７６２ａの太さよりも大きくなっており、図２６等に示すように、表面部７７２側が、右耳取付部（右耳掛け部）７６２ａよりも横に突出した構成となっている。そして、このように構成される右側装着部７７０により、ケース７１２を表面部７７２で保持する構成となっている。なお、保持構造については、後に詳述する。
【０１４６】
図２５等に示すように、右側と同様、身体装着部７６２において、使用者の左耳に掛けられて左耳に支持される左耳取付部７６２ｂ（左耳取付部７６２ｂは、被支持部の一例に相当）から前側延出部７６３ｂが前側（中間連結部７６２ｃとは反対側）に延びている。そして、左側装着部７８０は、身体装着部７６２における前側延出部７６３ｂの先端部に連結されてケース７１２を保持する取付部として機能している。この構成では、図２０、図２１、図４２、図４４のように使用者に取付部材７６０を取り付けた取付時に、前側延出部７６３ｂが左耳取付部７６２ｂ（被支持部）よりも前側に延びて配置され、左耳取付部７６２ｂ（被支持部）を支持する使用者の左耳の耳孔よりも前位置に左側装着部７８０（取付部）が配置される構成となっている。
【０１４７】
左側装着部７８０（取付部）は、図２０、図２１、図４２、図４４のような人体への装着時に左耳の耳孔よりも前位置において使用者の顔に対向して支持される裏面部７８１と、裏面部７８１の反対側に配置された表面部７８２とを備えている。裏面部７８１と表面部７８２は、いずれも外面が平坦に構成されており、例えば、裏面部７８１の外面（使用者の顔に支持される面）と表面部７８２の外面（ケース７１２の取付時にケース７１２と接触する面）とが略平行になっている。裏面部７８１と表面部７８２の間の厚さは、左耳取付部７６２ｂの太さよりも大きくなっており、図２４等に示すように、表面部７８２側が、左耳取付部（左耳掛け部）７６２ａよりも横に突出した構成となっている。そして、このように構成される左側装着部７８０により、ケース７１２を表面部７８２で保持する構成となっている。なお、保持構造については、後に詳述する。
【０１４８】
図２３、図３０、図３２のように、ガイド部７５０は、取付部材７６０に設けられた各取付部７６６に対してケース７１２を着脱可能に連結し、且つその連結の際に各取付部７６６に対するケース７１２の姿勢が所定姿勢となるようにガイドするように機能する。このガイド部７５０は、ケース７１２側に設けられた２つのケース側連結部（第１ケース側連結部７５１及び第２ケース側連結部７５２）と、右側装着部側（右側装着部７７０側）に設けられた少なくとも２つの右側連結部（第１右側連結部７７３ａ，第２右側連結部７７３ｂ）と、左側装着部側（左側装着部７８０側）に設けられた少なくとも２つの左側連結部（第１左側連結部７８３ａ，第２左側連結部７８３ｂ）とを備えている。そして、少なくとも２つのケース側連結部（第１ケース側連結部７５１及び第２ケース側連結部７５２）と少なくとも２つの右側連結部（第１右側連結部７７３ａ，第２右側連結部７７３ｂ）とがそれぞれ連結されることによりケース７１２が右側装着部７７０に取り付けられ、少なくとも２つのケース側連結部（第１ケース側連結部７５１及び第２ケース側連結部７５２）と少なくとも２つの左側連結部（第１左側連結部７８３ａ，第２左側連結部７８３ｂ）とがそれぞれ連結されることによりケース７１２が左側装着部（第１左側連結部７８３ａ，第２左側連結部７８３ｂ）に取り付けられる構成となっている。
【０１４９】
図２３、図３０、図３２のように、本構成では、２つのケース側連結部（第１ケース側連結部７５１及び第２ケース側連結部７５２）と２つの右側連結部（第１右側連結部７７３ａ，第２右側連結部７７３ｂ）が第１ガイド部に相当し、右側装着部７７０に対してケース７１２を着脱可能に連結し、且つ右側装着部７７０に対してケース７１２を連結した際に右側装着部７７０に対するケース７１２の姿勢が第１所定姿勢となるようにガイドする。また、２つのケース側連結部（第１ケース側連結部７５１及び第２ケース側連結部７５２）と、２つの左側連結部（第１左側連結部７８３ａ，第２左側連結部７８３ｂ）が、第２ガイド部に相当し、左側装着部７８０に対してケース７１２を着脱可能に連結し、且つ左側装着部７８０に対してケース７１２を連結した際に左側装着部７８０に対するケース７１２の姿勢が第２所定姿勢となるようにガイドする。
【０１５０】
図２３、図３０、図３２のように、本構成では、２つのケース側連結部として、永久磁石として構成される第１ケース側連結部７５１と、永久磁石として構成される第２ケース側連結部７５２とが設けられる。また、２つの右側連結部として、永久磁石として構成される第１右側連結部７７３ａと、永久磁石として構成される第２右側連結部７７３ｂとが設けられ、２つの左側連結部として、永久磁石として構成される第１左側連結部７８３ａと、永久磁石として構成される第２左側連結部７８３ｂとが設けられる。そして、第１ケース側連結部７５１は、第１右側連結部７７３ａ及び第１左側連結部７８３ａと極性が異なり、且つ第２右側連結部７７３ｂ及び第２左側連結部７８３ｂと極性が同じであり、第２ケース側連結部７５２は、第２右側連結部７７３ｂ及び第２左側連結部７８３ｂと極性が異なり、第１右側連結部７７３ａ及び第１左側連結部７８３ａと極性が同じになっている。
【０１５１】
この構成では、第１ケース側連結部７５１と第１右側連結部７７３ａとの極性が互いに異なり、これら第１ケース側連結部７５１と第１右側連結部７７３ａとが互いに吸引して連結される構成となっている。例えば、第１ケース側連結部７５１は、表面部がＮ極として構成された永久磁石として構成され、第１右側連結部７７３ａは、表面部がＳ極として構成された永久磁石として構成されており、互いの表面部が対向したときに吸引し合うようになっている。また、第２ケース側連結部７５２と第２右側連結部７７３ｂとの極性が互いに異なり、これら第２ケース側連結部７５２と第２右側連結部７７３ｂとが互いに吸引して連結される構成となっている。例えば、第２ケース側連結部７５２は、表面部がＳ極として構成された永久磁石として構成され、第２右側連結部７７３ｂは、表面部がＮ極として構成された永久磁石として構成されており、互いの表面部が対向したときに吸引し合うようになっている。
【０１５２】
更に、第１ケース側連結部７５１と第２右側連結部７７３ｂとが同極性であり、第２ケース側連結部７５２と、第１右側連結部７７３ａとが同極性である。上述の例では、第１ケース側連結部７５１は、表面部がＮ極として構成され、第２右側連結部７７３ｂも、表面部がＮ極として構成されているため、互いの表面部が対向したときに反発し合うようになっている。また、第２ケース側連結部７５２は、表面部がＳ極として構成され、第１右側連結部７７３ａも、表面部がＳ極として構成されているため、互いの表面部が対向したときに反発し合うようになっている。
【０１５３】
右側と同様に、第１ケース側連結部７５１と第１左側連結部７８３ａとの極性が互いに異なり、これら第１ケース側連結部７５１と第１左側連結部７８３ａとが互いに吸引して連結される構成となっている。例えば、第１ケース側連結部７５１は、表面部がＮ極として構成された永久磁石として構成され、第１左側連結部７８３ａは、表面部がＳ極として構成された永久磁石として構成されており、互いの表面部が対向したときに吸引し合うようになっている。また、第２ケース側連結部７５２と第２左側連結部７８３ｂとの極性が互いに異なり、これら第２ケース側連結部７５２と第２左側連結部７８３ｂとが互いに吸引して連結される構成となっている。例えば、第２ケース側連結部７５２は、表面部がＳ極として構成された永久磁石として構成され、第２左側連結部７８３ｂは、表面部がＮ極として構成された永久磁石として構成されており、互いの表面部が対向したときに吸引し合うようになっている。
【０１５４】
更に、第１ケース側連結部７５１と第２左側連結部７８３ｂとが同極性であり、第２ケース側連結部７５２と、第１左側連結部７８３ａとが同極性である。上述の例では、第１ケース側連結部７５１は、表面部がＮ極として構成され、第２左側連結部７８３ｂも、表面部がＮ極として構成されているため、互いの表面部が対向したときに反発し合うようになっている。また、第２ケース側連結部７５２は、表面部がＳ極として構成され、第１左側連結部７８３ａも、表面部がＳ極として構成されているため、互いの表面部が対向したときに反発し合うようになっている。
【０１５５】
このようなガイド部７５０によってケース７１２を各取付部７６６に取り付けることができるようになっており、取付時にケース７１２の向き（即ち、読取方向の向き）が安定するようになっている。また、取付部７６６及びガイド部７５０により、ケース７１２の前側部分（ケース７１２において、取付部７６６に支持される部分よりも前側に延び出た延出部）が使用者の耳から少なくとも前側に延びる構成でケース７１２を使用者の耳に取り付けることができるようになっている。
【０１５６】
また、図３２、図３４、図３５で示すように、ケース７１２における使用者側の側壁部（対向壁部７１２ａ）には、右側装着部７７０に形成された右側被保持部（表面部７７２）と嵌合可能に構成され、左側装着部７８０に形成された左側被保持部（表面部７８２）と嵌合可能に構成された底の浅い穴状（具体的には、ケース内側に凹んだ形状）のガイド溝７１３（保持部）が形成されている。そして、ケース７１２が右側装着部７７０に取り付けられる時に、ガイド溝７１３（保持部）と右側被保持部（表面部７７２）とが嵌合し、ケース７１２が左側装着部７８０に取り付けられる時に、ガイド溝７１３（保持部）と左側被保持部（表面部７８２）とが嵌合する構成となっている。そして、凹んだ形状のガイド溝７１３の奥底部に２つのケース側連結部（第１ケース側連結部７５１、第２ケース側連結部７５２）が配置されており、嵌合時には表面部７７２又は表面部７８２がガイド溝７１３の凹みの内部に入り込み、そのガイド溝７１３の奥底部に当接して嵌合するようになっている。これにより、磁石による位置保持だけでなく、嵌合による位置保持もなされ、装着時にケース７１２が大きく位置ずれしにくくなっている。特に、操作スイッチ４２ａや操作スイッチ４２ｂを押したときの位置ずれ抑制効果が高い構造となっている。なお、表面部７７２及び表面部７８２は、被保持部の一例に相当する。
【０１５７】
図３２、図３４、図３５のように、ガイド溝７１３は、互いに対向する一対の壁部７１３ａ，７１３ｂを有しており、これら一対の壁部７１３ａ，７１３ｂが所定方向（図３２の例では、ケース７１２の長手方向であり、前後方向）に延びている。更に、一対の壁部７１３ａ，７１３ｂの間に構成される被保持部（表面部７７２又は表面部７８２）の保持領域に対しその所定方向の一方側（具体的には、前側）には、ケース７１２の装着時に被保持部（表面部７７２又は表面部７８２）の所定方向一方側への相対移動を規制する規制壁７１３ｃが設けられている。そして、ケース７１２の装着時には、被保持部（表面部７７２又は表面部７８２）は、ガイド溝７１３における一対の壁部７１３ａ，７１３ｂの間に配置され、規制壁７１３ｃに隣接した位置で保持されるようになっている。つまり、表面部７７２又は表面部７８２のいずれかの被保持部がガイド溝７１３内に取り付けられる場合には、その取り付けられる被保持部は、一対の壁部７１３ａ，７１３ｂ及び規制壁７１３ｃによって三方を囲まれる形で保持されるようになっている。
【０１５８】
また、ガイド溝７１３は、一対の壁部７１３ａ，７１３ｂの間に、被保持部の外面（即ち、表面部７７２又は表面部７８２の外面）と接触する支持面７１３ｅが構成されている。つまり、表面部７７２がガイド溝７１３に保持される場合には、表面部７７２の表面と支持面７１３ｅとが互いに接触し、表面部７８２がガイド溝７１３に保持される場合には、表面部７８２の表面と支持面７１３ｅとが互いに接触するようになっている。更に、図３２、図３５で示すように、所定方向（前後方向）において支持面７１３ｅに並ぶ構成で支持面７１３ｅに対して傾斜した傾斜面７１３ｆが構成されている。この構成では、図３５（Ａ）のような取付状態にある取付部（図３５（Ａ）では、右側装着部７７０）からケース７１２を取り外す際に、被保持部（図３５（Ａ）の例では、表面部７７２）をガイド溝７１３に沿って傾斜面７１３ｆ側に案内するように操作すれば被保持部を支持面７１３ｅから円滑に引き離すことができ、簡単な操作で磁石の吸引力を弱めることができるため、取り外し操作の容易化を図ることができる。
【０１５９】
また、ケース７１２において取付部材７６０に取り付けられる側の壁部（対向壁部７１２ａ）には、音を導出する複数の導出孔７２０が形成されている。この導出孔７２０は、ケース７１２の内部に設けられた発音部４４（スピーカ等：図２）で発せられた音を外部に導出する放音孔として機能している。本構成では、ケース７１２が取付部材７６０に取り付けられた取り付け時には、取付部材７６０の一部をなす被覆部（具体的には、表面部７７２，７８２）によって導出孔７２０の少なくとも一部（例えば全部）が覆われ、ケース７１２が取付部材７６０から取り外された取り外し時には、導出孔７２０において取り付け時に被覆部によって覆われる部分が露出する構成となっている。例えば、図２０等のように、ケース７１２が、右側装着部７７０に取り付けられたときには、右側装着部７７０の表面部７７２によって導出孔７２０の全部が覆われ、音の放出が抑制されるようになっている。一方、このような取付状態を解除し、ケース７１２が右側装着部７７０から取り外された取り外し時には、導出孔７２０において取り付け時に表面部７７２によって覆われる部分が露出する構成となっている。左側も同様であり、ケース７１２が、左側装着部７８０に取り付けられたときには、左側装着部７８０の表面部７８２によって導出孔７２０の全部が覆われ、音の放出が抑制されるようになっている。一方、このような取付状態を解除し、ケース７１２が左側装着部７８０から取り外された取り外し時には、導出孔７２０において取り付け時に表面部７８２によって覆われる部分が露出する構成となっている。なお、図３２における二点鎖線７６６ａの位置が、ケース７１２を取付部７６６に取り付けているときに表面部７７２又は表面部７８２に接触し、表面部７７２又は表面部７８２によって覆われる位置である。
【０１６０】
また、本構成では、図３１〜図３３のように、装置本体７１１を取付部材７６０から取り外し、取付部材７６０とは別で装置本体７１１を使用したり、メンテナンスしたりすることができる。そして、この装置本体７１１は、ケース７１２に対して、ケーブル７０２を保持する保持部材７９０が取り付けられた構成となっており、この保持部材７９０は、図２９のように、着脱が可能な構成となっている。また、この保持部材７９０には、ケーブル７０２と嵌合してケーブル７０２を支持するケーブル支持部７９１が形成されており、図３３のように、ケーブル支持部７９１からケーブル７０２を取り外して使用したり、管理したりすることもでき、図２２のように、ケーブル支持部７９１でケーブル７０２を保持して使用したり、管理したりすることもできるようになっている。また、本構成では、図４１のように、ケーブル支持部７９１が被取付部（ケース７１２において、取付部材７６０に保持される部分）の真裏の位置に配置され、ケーブル支持部７９１によってケーブル７０２がモーメントの中心部付近で保持されるため、ケーブル７０２が引っ張られたとしても、ケース７１２の向きが矢印のように変化しにくい構成となっている。
【０１６１】
読取装置７１０を使用者に取り付ける場合、図３９、図４０のように、先に取付部材７６０を使用者の両耳に掛け、その後、例えば図２０、図２１のように、右側装着部７７０又は左側装着部７８０のいずれかに装置本体７１１を取り付けるようにすれば、迅速且つ容易に取り付けることができる。また、このような方法に限られず、図２２のように組み付けた後に、読取装置７１０を使用者に取り付けるようにしてもよい。
【０１６２】
本構成に係る読取装置は、図２０、図２１のような装着方法、使用方法に限られず、様々な使用方法で使用することができる。例えば、ケーブル７０２に接続される外部装置Ｄ（図４５）は、図２０のように、腰に掛けて使用してもよく、図４２のように、使用者の胸のポケットに入れて使用してもよい。また、図４３、図４４のように、取付部材７６０から装置本体７１１を一時的に或いは継続的に取り外して読み取りに使用してもよく、この場合も、図２０、図４２のように、外部装置Ｄは、様々な場所に配置しておくことができる。
【０１６３】
また、本構成では、図４５のように、ケーブル７０２は、外部装置Ｄ（読取作業の使用時に用いられる外部装置）に着脱可能に取り付けられるようになっており、図４６のように、外部装置Ｄから取り外して外部装置Ｄとは異なる外部機器ＰＣなどにも接続できるようになっている。外部装置Ｄの機能な様々であるが、装置本体７１１に電力を供給する供給源として機能していてもよく、装置本体７１１から情報（装置本体７１１で情報コードを解読したときの解読データ等）を記憶する記憶媒体として機能していてもよい。或いは、外部装置ＤにＣＰＵ等の制御回路を搭載しておき、撮像部２３で撮像されたコード画像を外部装置Ｄでデコードするようにしてもよい。
【０１６４】
本構成では、取付部材７６０は、ケース７１２とは別体として構成され、使用者の顔の右側に配置されると共にケースを着脱可能な右側装着部７７０と、使用者の顔の左側に配置されると共にケースを着脱可能な左側装着部７８０とを有している。これら右側装着部７７０及び左側装着部７８０が取付部７６６として機能している。この構成によれば、ケースを使用者の顔の右側にも左側にも装着可能となり、装着の自由度が増す。
【０１６５】
また、取付部材７６０は、使用者の右耳に取り付けられる右耳取付部と、使用者の左耳に取り付けられる左耳取付部と、右耳取付部と左耳取付部とを連結する連結部とを有する。この構成によれば、取付部材７６０が両耳に支持される形で取り付けられるため、装着時の安定性が増し、顔の動きとケースとを、より安定的に連動させやすくなる。また、ケース７１２を間接的に耳に取り付けることができるため、他の装着具（ヘルメットや眼鏡等）が使用される場合でも人体に装着しやすくなる。
【０１６６】
また、ケース７１２及び取付部７６６のいずれか一方には磁石が配置され、他方には磁石に吸引される吸引部（例えば、磁石や他の磁性体）が配置されており、ケースが右側装着部７７０に装着される場合には、ケース７１２と右側装着部７７０とが磁石と吸引部との吸引によって保持され、ケース７１２が左側装着部７８０に装着される場合には、ケース７１２と左側装着部７８０とが磁石と吸引部との吸引によって保持される構成となっている。この構成によれば、ケース７１２を顔の右側に装着する場合でも、左側に装着する場合でも、磁石の吸引力を利用して容易に装着しやすくなる。また、取付部７６６からのケースの取り外しや、付け替えなども容易に行いやすくなる。
【０１６７】
また、ケース７１２において、取付部７６６に形成された被保持部（表面部７７２，７８２）と嵌合可能に構成された保持部（ガイド溝７１３）が形成されており、ケース７１２が取付部７６６に取り付けられる時に、保持部と被保持部とが嵌合する構成となっている。この構成では、ケース７１２を取付部７６６に取り付ける際に、少なくとも嵌合状態で保持することができるため、ケース７１２が位置ずれしにくくなる。
【０１６８】
具体的には、図３２、図３４のように、ケース７１２において、互いに対向する一対の壁部７１３ａ，７１３ｂを有するガイド溝７１３が形成されている。そして、取付部７６６には、ケース７１２が当該取付部７６６に取り付けられる時にガイド溝７１３における一対の壁部７１３ａ，７１３ｂの間に配置されて保持される被保持部（表面部７７２，７８２）が形成されている。この構成では、ケース７１２が取付部７６６に取り付けられる時に、ガイド溝７１３内に被保持部を挟み込んで保持することができるため、ケース７１２がより位置ずれしにくくなり、振動等に強い構造となる。
【０１６９】
また、図３２、図３５のように、ガイド溝７１３は、一対の壁部７１３ａ，７１３ｂが所定方向（例えば、前後方向）に延び、一対の壁部７１３ａ，７１３ｂの間に構成される被保持部の保持領域（一対の壁部７１３ａ，７１３ｂの間の領域であって、表面部７７２，７８２が取り付けられるときに配置される領域）に対し所定方向の一方側には、ケース７１２が取付部７６６に取り付けられる時に被保持部（図３５の例では、表面部７７２）の所定方向一方側への移動を規制する規制壁７１３ｃが設けられている。この構成によれば、一対の壁部７１３ａ，７１３ｂと規制壁７１３ｃとによって被保持部の周りを囲むように保持することができるため、より安定的に保持することができる。特に、少なくとも３方向を取り囲むように被保持部を保持することができるため、所定方向に対して直交する向きや、所定方向一方側への相対移動が懸念される場合であっても、このような相対移動を抑えやすくなり、振動等に起因する意図しない離脱などを確実に抑制することができる。例えば、図３４、図３５（Ａ）は、右側装着部７７０の表面部７７２をケース７１２に形成されたガイド溝７１３内に嵌め込むように取り付けた例であるが、この場合、ガイド溝７１３によって表面部７７２の三方を囲むように保持することができるため、装着がより安定化する。
【０１７０】
また、ガイド溝７１３は、上述したように一対の壁部７１３ａ，７１３ｂが所定方向（例えば、前後方向）に延び、一対の壁部７１３ａ，７１３ｂの間には、ケース７１２が取付部７６６に取り付けられる時に被保持部の外面と接触する支持面７１３ｅが構成され、所定方向において支持面７１３ｅに並ぶ構成で支持面７１３ｅに対して傾斜した傾斜面７１３ｆが構成されている。この構成によれば、取付部７６６からケース７１２を取り外す際に、被保持部をガイド溝７１３に沿って傾斜面７１３ｆ側に案内するように操作すれば被保持部を支持面７１３ｅから円滑に引き離すことができるため、取り外し操作の容易化を図ることができる。例えば、図３５（Ａ）は、右側装着部７７０の表面部７７２をケース７１２に形成されたガイド溝７１３内に嵌め込むように取り付けた例であり、図３５（Ｂ）は、その状態から、ガイド溝７１３に沿って表面部７７２を案内するようにケース７１２を相対移動させた例である。この例で示すように、ケース７１２に対して簡単なスライド操作を行うだけで、傾斜面７１３ｆを利用して表面部７７２と支持面７１３ｅとの間に隙間を生じさせることができ、これにより、磁石の吸引力を弱めやすくなる。
【０１７１】
また、右側装着部７７０に対してケース７１２を着脱可能に連結し、且つ右側装着部７７０に対してケース７１２を連結した際に右側装着部７７０に対するケース７１２の姿勢が第１所定姿勢となるようにガイドする第１ガイド部と、左側装着部７８０に対してケース７１２を着脱可能に連結し、且つ左側装着部７８０に対してケース７１２を連結した際に左側装着部７８０に対するケース７１２の姿勢が第２所定姿勢となるようにガイドする第２ガイド部と、を有する。この構成では、ケース７１２が顔の右側に装着される場合でも、左側に装着される場合でも、取付部７６６に対するケース７１２の姿勢を安定的に定めることができる。
【０１７２】
また、ガイド部は、ケースに設けられた少なくとも２つのケース側連結部と、右側装着部に設けられた少なくとも２つの右側連結部と、左側装着部に設けられた少なくとも２つの左側連結部と、を備えており、少なくとも２つのケース側連結部と少なくとも２つの右側連結部とがそれぞれ連結されることによりケース７１２が右側装着部７７０に取り付けられ、少なくとも２つのケース側連結部と少なくとも２つの左側連結部とがそれぞれ連結されることによりケース７１２が左側装着部７８０に取り付けられる構成となっている。この構成によれば、ケース７１２が顔の右側に装着される場合でも、左側に装着される場合でも、取付部に定められた少なくとも２つの連結部に対し、ケース７１２に設けられた２つの連結部（ケース側連結部）を合わせるように連結する構成であるため、ケース７１２の向きが所望の方向を向くように、より正確に設定されやすくなる。
【０１７３】
また、２つのケース側連結部として、永久磁石として構成される第１ケース側連結部７５１と、永久磁石として構成される第２ケース側連結部７５２とが設けられ、２つの右側連結部として、永久磁石として構成される第１右側連結部７７３ａと、永久磁石として構成される第２右側連結部７７３ｂとが設けられる。更に、２つの左側連結部として、永久磁石として構成される第１左側連結部７８３ａと、永久磁石として構成される第２左側連結部７８３ｂとが設けられる。そして、第１ケース側連結部７５１の表面部の極性は、第１右側連結部７７３ａ及び第１左側連結部７８３ａのそれぞれの表面部の極性と異なり、且つ第２右側連結部７７３ｂ及び第２左側連結部７８３ｂのそれぞれの表面部の極性と同じになっている。また、第２ケース側連結部７５２の表面部の極性は、第２右側連結部７７３ｂ及び第２左側連結部７８３ｂの表面部の極性と異なり、第１右側連結部７７３ａ及び第１左側連結部７８３ａの表面部の極性と同じになっている。
この構成では、ケースが顔の右側に装着される場合でも、左側に装着される場合でも、少なくとも２位置で磁石同士が引き合う力を利用してケースを適正な位置により強くより正確に導くことができ、位置合わせや連結の負担をより低減することができる。更に、ケースが顔の右側に装着される場合でも、左側に装着される場合でも、対応しない連結部同士を合わせるように逆に取り付けた場合、対応しない連結部同士が同極性であるため、各位置で連結部同士が反発し合うことになり、連結されないことになる。従って、ケースが顔の右側に装着される場合でも、左側に装着される場合でも、正規の向きの場合には、取付部に対するケースの位置合わせをより正確かつ迅速に行い易くなり、逆向きでの異常な連結については、より確実に防ぐことができる。
【０１７４】
また、取付部は、使用者のいずれかの耳に掛けられて支持される被支持部と、被支持部から延びる前側延出部と、前側延出部に連結されると共にケースを保持する保持部と、を少なくとも備え、使用者に取付部を取り付けた取付時に、前側延出部が被支持部よりも前側に延びて配置され、被支持部を支持する耳の耳孔よりも前位置に保持部が配置される構成となっている。
この構成では、ケースを保持する保持部が使用者の耳孔よりも前位置に配置されるため、保持部が使用者の耳孔を塞がず、使用者が周囲の音を聞きやすくなる。
【０１７５】
また、保持部は、耳孔よりも前位置において使用者の顔に対向する裏面部と、裏面部の反対側に配置された表面部とを備えており、ケースを表面部で保持する構成となっている。
この構成では、ケースが使用者の顔から離れた位置に配置される表面部で保持されるため、表面部に保持されるケースが使用者の耳孔を塞がず、使用者が周囲の音を聞きやすくなる。
【０１７６】
また、ケースにおいて取付部に取り付けられる側の壁部には、音を導出する導出孔が形成されており、ケースが取付部に取り付けられた取り付け時には、取付部の一部をなす被覆部によって導出孔の少なくとも一部が覆われ、ケースが取付部から取り外された取り外し時には、導出孔において取り付け時に被覆部によって覆われる部分が露出する構成となっている。
この構成では、ケースが顔の近くに配置されるような装着時には、導出孔を塞ぐことで相対的に音を抑制することができ、音発生源が使用者の耳の近くにある場合でも、使用者に大きな音が届きすぎることを抑えることができる。一方、ケースが顔から離れて使用されやすい非装着時には、導出孔を露出させることで相対的に音を大きくすることができ、音発生源が使用者の耳からある程度離れている場合でも、使用者に音が届きやすくなる。
【０１７７】
[第１０実施形態] 
次に、図４７〜図５３等を参照して第１０実施形態について説明する。
第１０実施形態に係る携帯型情報コード読取装置１０１０は、取付部材の構成のみが上記実施形態と異なり、装置本体の構成については、上記実施形態と同一である。この装置本体については、第１実施形態で示した装置本体１１と同一としてもよく、第９実施形態で示した装置本体７１１と同一としてもよい。なお、以下では、第９実施形態で示した装置本体７１１が用いられる例を代表例として説明する。
【０１７８】
装置本体７１１は、第９実施形態で示した装置本体７１１と同一であり、ケース７１２内に情報コード１００を撮像する撮像部２３（受光センサ）と、撮像部２３（受光センサ）によって撮像された情報コード１００の画像を処理する処理部とが設けられている。処理部の機能は、上述した又は後述する構成のいずれの処理部の機能を有していてもよい。そして、これら撮像部及び処理部などをケース７１２によって保持する構造となっている。更に、ケース７１２とは別体として構成される取付部材１０６０が設けられている。この取付部材１０６０は、一部又は全部が撓み変形可能な可撓性の材料によって構成された装着部１０６２と、ケース７１２が着脱される取付部１０６６とを備えている。
【０１７９】
本構成では、図４７〜図５２で示すように、装着部１０６２は、取付部１０６６が固定される固定部１０６５を有し、取付部１０６６は、固定部１０６５に固定される伸縮性部材１０６６ａ，１０６６ｂを備えている。そして、固定部１０６５又は当該固定部１０６５に固定された他部材の少なくともいずれかからなる挟持部（図４７等の例では、固定部１０６５の上面部の一部をなす挟持部１０９１，１０９２）と伸縮性部材１０６６ａ，１０６６ｂとの間にケース７１２を挟み込んで当該ケース７１２を保持する構成となっている。なお、図４７〜図５２の例では、図４８のように、挟持部（伸縮性部材１０６６ａ，１０６６ｂと共にケース７１２を挟み込む部分）が、固定部１０６５の上面部の一部によって構成されているが、固定部１０６５に取り付けられる別部材によって挟持部が構成されていてもよく、伸縮性部材１０６６ａ，１０６６ｂの一部が挟持部として構成されていてもよい。
【０１８０】
固定部１０６５は、合成樹脂、布、皮革等の材料によって撓み変形可能な板状の構成となっており、この板状の固定部１０６５の上面部において、前後に並ぶように２つの伸縮性部材１０６６ａ，１０６６ｂがそれぞれ取り付けられている。
【０１８１】
２つの伸縮性部材１０６６ａ，１０６６ｂは、伸縮性を有する部材であれば、例えば、ゴム、エラストマーなどの弾性部材によって構成されていてもよく、樹脂材料などであってもよい。或いは、ゴムと布の組み合わせなど、複数の材料によって構成されていてもよい。いずれも所定幅のバンド状に構成されており、いずれも両端部が固定部１０６５にそれぞれ固定された構成となっている。これら２つの伸縮性部材１０６６ａ，１０６６ｂは、いずれも、ある程度伸びたときに収縮しようとする変形作用が生じるものであり、例えば、図４７、図４８等で示す取付状態のときに、収縮しようとする作用が生じている。
【０１８２】
本構成に係る携帯型情報コード読取装置１０１０は、ケース７１２の着脱が行いやすい構成を、より簡易に実現している。特に、ケース７１２を取り付ける際には、図４９のような取付部材１０６０に対し、図４７、図４８のように、挟持部１０９１，１０９２（固定部１０６５の上面部）と伸縮性部材１０６６ａ，１０６６ｂとの間にケースを挟み込ませるように挿入すればよいため、ケース７１２の取り付け作業を簡単に行うことができる。また、ケース７１２を取り外す際には、挟持部１０９１，１０９２と伸縮性部材１０６６ａ，１０６６ｂとの間からケース７１２を抜けばよいため、ケース７１２の取り外しも簡単に行うことができる。
【０１８３】
より具体的には、図４７、図４８のように、挟持部１０９１，１０９２と伸縮性部材１０６６ａ，１０６６ｂとがケース７１２の所定部位を所定の向きに保持することで、固定部１０６５に対するケース７１２の姿勢を所定姿勢に定める構成となっている。具体的には、ケース７１２が長手状に構成され、挟持部１０９１，１０９２と伸縮性部材１０６６ａ，１０６６ｂとの間に構成される収容空間が固定部１０６５における所定の配置方向に沿って複数構成されている。そして、挟持部１０９１，１０９２及び伸縮性部材１０６６ａ，１０６６ｂは、ケース７１２の長手方向が配置方向に沿うようにケース７１２の所定部位を収容空間に配置しつつ所定の向きに保持する構成となっている。つまり、挟持部１０９１，１０９２と伸縮性部材１０６６ａ，１０６６ｂとの間に構成される２つの収容空間の並び方向とケース７１２の長手方向とを合わせるようにケース７１２の姿勢を安定的に定めるようになっている。
【０１８４】
また、本構成では、図４７〜図５１で示すように、少なくとも２つの伸縮性部材１０６６ａ，１０６６ｂが所定の配置方向（例えば、固定部１０６５の長手方向）に並び、それらが間をあけて固定部１０６５に固定されている。そして、挟持部１０９１，１０９２と伸縮性部材１０６６ａ，１０６６ｂとの間に構成される収容空間が、所定の配置方向に沿って少なくとも２つ構成されている。更には、図５３のように、ケース７１２に対して着脱可能に取り付けられる着脱部材１０９０が設けられている。なお、着脱部材１０９０の構成、機能は、第９実施形態で示した保持部材７９０と同様である。そして、図４７のようにケース７１２の所定部位を収容空間に配置しつつ所定の向きに保持した保持状態において、図５３のように、２つの伸縮性部材１０６６ａ，１０６６ｂの間に着脱部材１０９０を挟み込ませつつケース７１２に固定可能とされている。この構成では、ケース７１２に固定される着脱部材１０９０の前後方向（ケース７１２の長手方向）の移動が伸縮性部材１０６６ａ，１０６６ｂによって規制されるため、ケース７１２自体も前後方向に相対移動しなくなる。
【０１８５】
このように構成されているため、ケース７１２の長手方向と２つの伸縮性部材１０６６ａ，１０６６ｂの並び方向とを揃えるように安定的に位置を定めることができ、ケース７１２の向き、ひいては撮像の向きが所望の向きに正確に定まりやすくなる。しかも、２つの伸縮性部材１０６６ａ，１０６６ｂの間に着脱部材１０９０を挟み込ませるように位置決めできるため、固定部１０６５に対するケース７１２の位置ずれ（所定の配置方向の位置ずれ）を効果的に抑えることができる。
【０１８６】
また、図４７、図４８のように、固定部１０６５が、使用者の手Ｈの甲に沿って配置されるものであり、装着部１０６２は、固定部１０６５を使用者の手首Ｗの位置に取り付ける第１位置装着部１０７１と、固定部１０６５を使用者の手において手首以外の位置に取り付ける第２位置装着部１０７２と、を有している。なお、第１位置装着部１０７１は、例えば、布、ゴム、エラストマー、皮革、樹脂材料、或いはこれらを組み合わせた材料などによってバンド状に構成され、使用者の手首Ｗに巻き付けられるようにして固定される構造となっている。また、第２位置装着部１０７２は、例えば、伸縮性を有する材料（布、ゴム、エラストマー、皮革、或いはこれらを組み合わせた材料など）からなる環状部材として構成され、例えば、使用者の中指Ｆ３が挿入されるようにして取り付けられる。この構成によれば、ケース７１２を使用者の手付近に装着することができ、且つ使用者の手の向き（例えば、手首と中指の向き）に合わせて撮像の向きを変更可能な構造を実現できる。しかも、ケース７１２を手の甲の側に保持することができるため、使用者が掌側をより自由に使いやすくなる。また、このように、固定部１０６５を少なくとも２位置（手首位置及び指位置）取り付けるようにすれば、装着の一層の安定化を図ることができ、手の向き（特に取り付け位置となる手首と指を結ぶ向き）により正確に対応した撮像が可能となる。
【０１８７】
また、固定部１０６５において、伸縮性部材１０６６ａ，１０６６ｂよりも撮像部の撮像側には変形可能な変形許容部１０８２が設けられており、変形許容部１０８２は、固定部１０６５における伸縮性部材１０６６ａ，１０６６ｂが取り付けられる部分１０８１よりも狭い幅（例えば、指１本程度の幅）で構成され、この部分１０８１から所定方向（上記収容空間の並び方向）に延びる形態で配置されている。そして、図４７、図４８のように、ケース７１２が挟持部１０９１，１０９２と伸縮性部材１０６６ａ，１０６６ｂとの間に保持された状態で、少なくとも、撮像部２３の撮像範囲から退避した退避位置（図４７等で示す位置）と、撮像範囲内に位置する撮像位置（図４７等で示す位置から変位した位置）とに変位可能とされている。退避位置は、例えば、図４７等で示す変形許容部１０８２の位置から、変形許容部１０８２がケース７１２の前面部７１２ｃの前方側に変位した位置であり、例えば、中指Ｆ３を動かして変形許容部１０８２をこのように変位させることにより、撮像範囲の大部分又は全部を変形許容部１０８２によって覆うことができる。
【０１８８】
この構成では、変形許容部１０８２を撮像位置と退避位置とに変位させることが可能となり、意図しない画像が撮像されることを抑えやすくなる。例えば、外部空間を撮像することを希望する場合には、変形許容部１０８２を退避位置に退避させるような操作を行うことで、外部空間を良好に撮像しやすくなる。逆に、外部空間の撮像を希望しない場合には、変形許容部１０８２を撮像位置に移動させるような操作を行うことで、撮像画像内での変形許容部１０８２の割合を大きくすることができ、他画像が撮像される割合を小さくすることができる。
【０１８９】
［他の実施形態]
本発明は上記記述及び図面によって説明した実施形態に限定されるものではなく、例えば次のような実施形態も本発明の技術的範囲に含まれる。
【０１９０】
上記各実施形態では、処理部の一例として、制御回路４０を例示し、撮像部２３によって撮像された情報コード１００の画像の処理として当該情報コードのコード画像を解読する構成を例示したが、いずれの実施形態のいずれの構成でも、撮像部２３によって撮像された情報コード１００の画像の処理はこれに限られない。例えば、撮像部２３によって撮像された情報コード１００の画像データを外部装置（装置本体とケーブルで接続された外部装置や、装置本体とケーブル接続されていない外部装置など）に送信（有線通信や無線通信などによる送信）するような処理であってもよい。この場合、情報コード１００の画像を送信された外部装置側にて当該画像データを解読すればよい。これにより、外部装置（具体的には、制御回路（ＣＰＵ等）、メモリ等を備えた情報処理装置として構成される外部装置）の制御回路を外部処理部として機能させることができる。或いは、いずれの実施形態のいずれの構成でも、撮像部２３によって撮像された情報コード１００の画像の処理は、例えば、撮像部２３によって撮像された情報コード１００の画像データをメモリ３５に保存するような蓄積処理であってもよい。
【０１９１】
上記各実施形態では、両耳に掛けられる構成の身体装着部を例示したが、身体装着部は、いずれか一方の耳に掛けられる構成であってもよい。
【０１９２】
上記各実施形態では、取付部が使用者の人体に掛けられる構成として、主に、耳に掛けられる構成等を例示したが、例えば、取付部が使用者の首から上に掛けられる他の構成を用いてもよい。例えば、取付部を使用者の頭に掛ける構成とし、この取付部にケースを着脱可能に取り付けてもよく、取付部を使用者の首に掛ける構成とし、この取付部にケースを着脱可能に取り付けてもよい。
【０１９３】
上記各実施形態では、使用者の耳、指、腕などに取り付けられる身体装着部を例示したが、身体装着部は、使用者の頭に取り付けられるバンド部材として構成されていてもよい。例えば、ハチマキ状、ヘアバンド状、カチューシャ状などの構造のバンド部材として身体装着部が構成されていてもよい。この構成では、装置本体が頭に取り付けられるため、顔の動きと装置本体の全体が連動することになり、使用者の顔の動きに合わせて読み取る方向を定めやすくなる。また、この場合、第４実施形態の変更例の思想を用い、第１実施形態の取付部材と、第４実施形態の取付部材と、本構成の取付部材を使用の候補として、いずれかの取付部材を選択して使用するようにしてもよい。この場合、装置本体は、これら３種類のいずれにも取り付け可能な構成とすればよい。
【０１９４】
上記実施形態では、使用者の耳、指、腕、頭などに掛けられる構成或いは巻かれる構成の身体装着部を有する取付部材を例示したが、取付部材は、使用者の装着物（メガネ、ヘルメット、手袋、服）などに取り付けられるアタッチメントとして構成されていてもよい。
【０１９５】
上記実施形態では、２つのケース側連結部と、２つの取付部材側連結部とがそれぞれ連結される構成を例示したがこのような例に限られない。３以上のケース側連結部が、これらと同数の３以上の取付部材側連結部とそれぞれ連結される構成であってもよい。
【０１９６】
上記実施形態では、ベース部を基準とする取付壁部の変位を調整し得る構成を例示したが、いずれの実施形態の構成でも、或いはいずれの実施形態の構成を変更した構成でも、対向壁部１２ａを基準とする撮像部２３の変位を調整可能に構成されていてもよい。例えば、撮像部２３が所定の回転軸を中心とする回転位置調整により位置設定可能とされていてもよく、対向壁部１２ａに対する撮像部２３の光軸の傾きを調整可能とされていてもよい。或いは、対向壁部１２ａに対して撮像部２３が相対的にスライド可能とされていてもよい。
【０１９７】
いずれの実施形態のいずれの構成でも、撮像部２３で撮像した情報コードの画像データをケース側（即ち、装置本体側）から外部装置（装置本体と通信可能な外部装置であり、例えば、第９実施形態の外部装置Ｄ）に送信し、外部装置で解読を行うようにしてもよい。或いは、いずれの実施形態のいずれの構成でも、撮像部２３で撮像した情報コードをケース内（即ち、装置本体内）で解読し、その解読して得られた解読データを外部装置に送信してもよい。この場合、外部装置は、例えば、その解読データが予め当該外部装置又は当該外部装置と通信可能に設けられた他装置に登録された登録データと一致するか否かを照合し、その照合結果をケース側（装置本体側）に送信する構成としてもよい。
【０１９８】
いずれの実施形態のいずれの構成でも、電池は、身体に装着されるケース内に設けられていてもよく、ケースとケーブルを介して接続される外部装置（例えば、第９実施形態の外部装置Ｄなど）の内部に設けられていてもよい。
【０１９９】
第９実施形態では、右側装着部７７０と左側装着部７８０とが設けられた取付部材７６０を例示したが、第９実施形態や同様の取付部を有する他の実施形態のいずれの構成でも、取付部は、右側装着部のみの構成や左側装着部のみの構成であってもよい（即ち、ケースを取り付ける装着部をいずれか一方の耳側のみに設ける構成であってもよい）。この場合、第９実施形態の取付部材７６０の構成から単にいずれかの装着部のみを省略すればよい。
【０２００】
第９実施形態では、ケース７１２及び取付部材７６０の両方に磁石が配置された構成を例示したが、いずれか一方に磁石が配置され、他方には鉄等の磁性体（磁石に吸引される吸引部）が配置されていてもよい。例えば、ケース７１２側には、第９実施形態と同様の磁石（第１ケース側連結部７５１及び第２ケース側連結部７５２）を配置しておき、右側装着部７７０の第１右側連結部７７３ａ及び第２右側連結部７７３ｂと、左側装着部７８０の第１左側連結部７８３ａ及び第２左側連結部７８３ｂを鉄等の磁性体に代えるようにしてもよい。この場合でも、ケース７１２が右側装着部７７０に装着される場合には、ケース７１２と右側装着部７７０とが磁石（第１ケース側連結部７５１及び第２ケース側連結部７５２）と吸引部（第１右側連結部７７３ａ及び第２右側連結部７７３ｂ）との吸引によって保持され、ケース７１２が左側装着部７８０に装着される場合には、ケース７１２と左側装着部７８０とが磁石（第１ケース側連結部７５１及び第２ケース側連結部７５２）と吸引部（第１左側連結部７８３ａ及び第２左側連結部７８３ｂ）との吸引によって保持される構成となる。或いは、ケース７１２側に鉄等の磁性体（吸引部）を配置し、取付部材７６０側に磁石を配置してもよい。例えば、第１ケース側連結部７５１及び第２ケース側連結部７５２を鉄等の磁性体（吸引部）とし、第１右側連結部７７３ａ及び第２右側連結部７７３ｂと、第１左側連結部７８３ａ及び第２左側連結部７８３ｂとを第９実施形態と同様の磁石としてもよい。
【０２０１】
第９実施形態や他の実施形態では、第１ガイド部として、少なくとも２つのケース側連結部と少なくとも２つの右側連結部とがそれぞれ連結されることによりケースを右側装着部に取り付ける構成を例示したが、いずれの構成でも、３以上のケース側連結部と３以上の右側連結部とがそれぞれ連結されることによりケースを右側装着部に取り付ける構成であってもよい。また、第２ガイド部として、２つのケース側連結部と２つの左側連結部とがそれぞれ連結されることによりケースを左側装着部に取り付ける構成を例示したが、いずれの構成でも、３以上のケース側連結部と３以上の左側連結部とがそれぞれ連結されることによりケースを左側装着部に取り付ける構成であってもよい。また、１つのケース側連結部と１つの右側連結部とがそれぞれ連結されることによりケースを右側装着部に取り付ける構成であってもよい。また、１つのケース側連結部と１つの左側連結部とがそれぞれ連結されることによりケースを左側装着部に取り付ける構成であってもよい。
【０２０２】
第９実施形態や他の実施形態では、第１ガイド部として、少なくとも２つのケース側連結部と少なくとも２つの右側連結部とが磁石によってそれぞれ連結されることによりケースを右側装着部に取り付ける構成を例示したが、少なくとも２つのケース側連結部と少なくとも２つの右側連結部とが嵌合構造や係止構造によって連結されてもよい。また、少なくとも２つのケース側連結部と少なくとも２つの右側連結部とがそれぞれシート状に構成され、各ケース側連結部が対応する右側連結部と面ファスナー構造で連結されてもよい。また、第２ガイド部として、２つのケース側連結部と２つの左側連結部とがそれぞれ連結されることによりケースを左側装着部に取り付ける構成を例示したが、２つのケース側連結部と２つの左側連結部とが嵌合構造や係止構造によって連結されてもよい。また、少なくとも２つのケース側連結部と少なくとも２つの右側連結部とがそれぞれシート状に構成され、各ケース側連結部が対応する左側連結部と面ファスナー構造で連結されてもよい。
【０２０３】
第９実施形態や他の実施形態の構成において、ケースを取り付ける部分（第９実施形態では表面部７７２、表面部７８２）を、体に取り付ける部分（第９実施形態では右耳取付部７６２ａ、左耳取付部７６２ｂ）に対して変位可能に構成してもよい。例えば、右耳取付部７６２ａに固定される裏面部７７１と表面部７７２とを分離すると共に、裏面部７７１に対して表面部７７２をラチェット構造（図１０と同様の構造）や球面対偶構造（図１５と同様の構造）などによって変位可能としてもよい。同様に、左耳取付部７６２ｂに固定される裏面部７８１と表面部７８２とを分離すると共に、裏面部７８１に対して表面部７８２をラチェット構造（図１０と同様の構造）や球面対偶構造（図１５と同様の構造）などによって変位可能としてもよい。
【０２０４】
第９実施形態では、右耳取付部７６２ａとして、右耳掛け部を例示したが、右耳に取り付け可能な構成であればよい。例えば、第１実施形態と同様の耳挿入部を右耳の耳孔に挿入して取り付ける構成であってもよく、右耳を挟んで取り付ける構成であってもよい。或いは、右耳に掛ける構成と、右耳の耳孔に挿入する構成や右耳を挟んで取り付ける構成とを併用してもよい。例えば、第９実施形態の右耳取付部７６２ａ（右耳掛け部）と第１実施形態の耳挿入部を併用しても右耳に取り付けてもよい。また、左耳取付部として、左耳掛け部を例示したが、左耳に取り付け可能な構成であればよい。例えば、第１実施形態と同様の耳挿入部を左耳の耳孔に挿入して取り付ける構成であってもよく、左耳を挟んで取り付ける構成であってもよい。或いは、左耳に掛ける構成と、左耳の耳孔に挿入する構成や左耳を挟んで取り付ける構成とを併用してもよい。例えば、第９実施形態の左耳取付部７６２ｂ（左耳掛け部）と第１実施形態の耳挿入部を併用して左耳に取り付けてもよい。
【０２０５】
第９実施形態では、右耳側でも左耳側でも、反対向きに取り付けようとした場合（即ち、対応しない連結部同士を装着しようとした場合）に装着されない構成を例示したが、このような思想は第９実施形態の例に限られない。例えば、第９実施形態の構成において、第２ケース側連結部７５２、第１右側連結部７７３ａ、第１左側連結部７８３ａのみを鉄等の磁性体に代えてもよい。或いは、第９実施形態の構成において、第１ケース側連結部７５１、第２右側連結部７７３ｂ、第２左側連結部７８３ｂのみを鉄等の磁性体に代えてもよい。この場合も、左側でも、右側でも、反対向きに取り付けようとした場合、磁石同士が反発する関係となり、装着されないことになる。
【０２０６】
第９実施形態では、ケース７１２が取付部材７６０に取り付けられた取り付け時には、取付部材７６０の一部をなす被覆部（表面部７７２又は表面部７８２）によって導出孔７２０が全て覆われ、ケース７１２が取付部材７６０から取り外された取り外し時には、導出孔７２０において取り付け時に被覆部（表面部７７２又は表面部７８２）によって覆われる部分（即ち、全ての導出孔７２０）が露出する構成を例示したがこの例に限られない。例えば、ケース７１２が取付部材７６０に取り付けられた取り付け時には、被覆部（表面部７７２又は表面部７８２）によって導出孔７２０の一部のみが覆われ、ケース７１２が取付部材７６０から取り外された取り外し時には、導出孔７２０において取り付け時に被覆部（表面部７７２又は表面部７８２）によって覆われる部分（即ち、一部の導出孔）が露出する構成であってもよい。
【０２０７】
第９実施形態や同様の構成を適用する他の構成では、取付部材７６０に対してケース７１２を磁石によって保持できる構造となっている。この構成では、取付部材７６０とは別で据置型の取付部材を設け、この取付部材に磁性体を設けた構造（例えば、表面部７７２や表面部７８２と同様の構造）を設ければ、装置本体７１１を取付部材７６０から取り外し、その据置型の取付部材に取り付けて固定式スキャナとして用いることもできる。
【０２０８】
第９実施形態や同様の構成を適用する他の構成では、取付部形状や永久磁石の位置、構造等を第三者に公開することで、ユーザなどの第三者が自由に取付部を準備することができるようになる。
【０２０９】
第９実施形態では、第１ケース側連結部、第２ケース側連結部、第１右側連結部、第２右側連結部、第１左側連結部、第２左側連結部の極性の組み合わせを例示したが、この例に限られない。例えば、第１ケース側連結部７５１の表面部の極性と、第２ケース側連結部７５２の表面部の極性を同じ極性（例えば、いずれもＮ極）にしてもよい。この場合、第１右側連結部７７３ａの表面部の極性と、第２右側連結部７７３ｂの表面部の極性を同じ極性（例えば、いずれもＳ極）とし、第１左側連結部７８３ａの表面部の極性と第２左側連結部７８３ｂの表面部の極性を同じ極性（例えば、いずれもＳ極）とすればよい。この構成では、ケース７１２側の複数位置において磁石の極性が統一され、右側装着部７７０及び左側装着部７８０のそれぞれにおいても、磁石の極性が統一されているため、ケース７１２が顔の右側に装着される場合でも、左側に装着される場合でも、位置ずれに強い構成となる。即ち、ケース７１２を右側装着部７７０や左側装着部７８０に装着する際に、正規位置から多少ずれても吸引力が維持され易いため、より強固に連結され易くなる。特に、第９実施形態の構成では、図３２のように、ケース７１２の長手方向に対して交差する方向（具体的には、長手方向と直交する上下方向）に複数のケース側連結部が並んでいるため、一方のケース側連結部の磁力が他方のケース側連結部に近くにまで及びやすくなっている。このような構成において、仮に一方のケース側連結部と他方のケース側連結部の極性を逆にした場合、取付時に、一方のケース側連結部に取り付けられるべき取付部材側連結部が他方のケース側連結部に近づくように位置ずれしてしまうと、それらが反発し合うため、このような反発力が円滑な連結を阻害しやすくなる。これに対し、上記構成によれば、このような反発を抑えることができ、ケースが取付部材に円滑に連結され易くなる。
【符号の説明】
【０２１０】
１０，２１０，３１０，４１０，５１０，６１０，７１０，１０１０…携帯型情報コード読取装置
１２，２１２，３１２，６１２，７１２…ケース
１２ａ，２１２ａ，３１２ａ，６１２ａ，７１２ａ…対向壁部（被取付部）
１９…接続ケーブル
２３…受光センサ（撮像部）
４０…制御回路（処理部、判定部、検出部、選択部、送信制御部、受信部）
４８…通信部（送信制御部、受信部）
５０，２５０，３５０，７５０…ガイド部
５１…第１ケース側連結部（ケース側連結部、一方側磁石）
５２…第２ケース側連結部（ケース側連結部、一方側磁石）
５３…第１取付部材側連結部（取付部材側連結部、磁性体）
５４…第２取付部材側連結部（取付部材側連結部、磁性体）
６０，２６０，３６０，４６０，７６０…取付部材
６２，７６２…身体装着部（装着部）
６４…変位調整部
６５，５６５…ベース部
６６，２６６，３６６，４６６，７６６…取付部
４６２…バンド部材（装着部）
２５１…第１ケース側連結部（ケース側連結部、一方側シート材）
２５２…第２ケース側連結部（ケース側連結部、一方側シート材）
２５３…第１取付部材側連結部（取付部材側連結部、他方側シート材）
２５４…第２取付部材側連結部（取付部材側連結部、他方側シート材）
３５１…第１ケース側連結部（ケース側連結部、一方側嵌合部）
３５２…第２ケース側連結部（ケース側連結部、一方側嵌合部）
３５３…第１取付部材側連結部（取付部材側連結部、被嵌合部）
３５４…第２取付部材側連結部（取付部材側連結部、被嵌合部）
６２０…回転機構
７５１…第１ケース側連結部（ケース側連結部、一方側磁石、磁石、第１ガイド部、第２ガイド部）
７５２…第２ケース側連結部（ケース側連結部、一方側磁石、磁石、第１ガイド部、第２ガイド部）
７７０…右側装着部
７７３ａ…第１右側連結部（取付部材側連結部、磁性体、吸引部、第１ガイド部）
７７３ｂ…第２右側連結部（取付部材側連結部、磁性体、吸引部、第１ガイド部）
７８０…左側装着部
７８３ａ…第１左側連結部（取付部材側連結部、磁性体、吸引部、第２ガイド部）
７８３ｂ…第２左側連結部（取付部材側連結部、磁性体、吸引部、第２ガイド部）
１０６２…装着部
１０６５…固定部
１０６６…取付部
１０６６ａ，１０６６ｂ…伸縮性部材
１０７１…第１位置装着部
１０７２…第２位置装着部
１０８２…変形許容部
１０９０…着脱部材
１０９１，１０９２…挟持部
Ｃ１…回転軸
【図１】
2015007974.tif 000003
【図２】
2015007974.tif 000004
【図３】
2015007974.tif 000005
【図４】
2015007974.tif 000006
【図５】
2015007974.tif 000007
【図６】
2015007974.tif 000008
【図７】
2015007974.tif 000009
【図８】
2015007974.tif 000010
【図９】
2015007974.tif 000011
【図１０】
2015007974.tif 000012
【図１１】
2015007974.tif 000013
【図１２】
2015007974.tif 000014
【図１３】
2015007974.tif 000015
【図１４】
2015007974.tif 000016
【図１５】
2015007974.tif 000017
【図１６】
2015007974.tif 000018
【図１７】
2015007974.tif 000019
【図１８】
2015007974.tif 000020
【図１９】
2015007974.tif 000021
【図２０】
2015007974.tif 000022
【図２１】
2015007974.tif 000023
【図２２】
2015007974.tif 000024
【図２３】
2015007974.tif 000025
【図２４】
2015007974.tif 000026
【図２５】
2015007974.tif 000027
【図２６】
2015007974.tif 000028
【図２７】
2015007974.tif 000029
【図２８】
2015007974.tif 000030
【図２９】
2015007974.tif 000031
【図３０】
2015007974.tif 000032
【図３１】
2015007974.tif 000033
【図３２】
2015007974.tif 000034
【図３３】
2015007974.tif 000035
【図３４】
2015007974.tif 000036
【図３５】
2015007974.tif 000037
【図３６】
2015007974.tif 000038
【図３７】
2015007974.tif 000039
【図３８】
2015007974.tif 000040
【図３９】
2015007974.tif 000041
【図４０】
2015007974.tif 000042
【図４１】
2015007974.tif 000043
【図４２】
2015007974.tif 000044
【図４３】
2015007974.tif 000045
【図４４】
2015007974.tif 000046
【図４５】
2015007974.tif 000047
【図４６】
2015007974.tif 000048
【図４７】
2015007974.tif 000049
【図４８】
2015007974.tif 000050
【図４９】
2015007974.tif 000051
【図５０】
2015007974.tif 000052
【図５１】
2015007974.tif 000053
【図５２】
2015007974.tif 000054
【図５３】
2015007974.tif 000055